(57)【特許請求の範囲】
【請求項１】
ワイヤレス通信のための方法であって、
プロセッサが、サービングセルからメッセージを受信することと、前記メッセージが、デバイスツーデバイス（Ｄ２Ｄ）近接サービス通信のためのアクセスクラス禁止（ＡＣＢ）パラメータを示す情報を備える、
前記プロセッサが、ＡＣＢがＤ２Ｄ近接サービス通信のためにアクティブであると決定することと、
前記プロセッサが、前記決定することに基づいて、前記ＡＣＢパラメータと禁止条件とを用いて、Ｄ２Ｄ近接サービス通信のためのリソース利用可能性を識別することと、
前記プロセッサが、前記決定することに基づいて、前記サービングセルからの後続のメッセージを処理することを控えることと、前記後続のメッセージが、Ｄ２Ｄ近接サービス通信のためのリソースのプールに関連する情報を備える
を備える、ワイヤレス通信のための方法。
【請求項２】
前記ＡＣＢパラメータが、非高優先度モバイルデバイスまたは高優先度モバイルデバイスに関連し、前記リソースが、Ｄ２Ｄ近接サービス通信のための発見動作または通信動作に関連する、請求項１に記載の方法。
【請求項３】
前記プロセッサが、無線リソース制御（ＲＲＣ）アイドルモードまたはＲＲＣ接続モードにある間に前記サービングセルから受信された前記メッセージを処理すること
をさらに備える、請求項１に記載の方法。
【請求項４】
前記メッセージが、前記ＡＣＢパラメータを伝達するシステム情報ブロック（ＳＩＢ）を備える、請求項１に記載の方法。
【請求項５】
前記ＳＩＢがタイプ２ＳＩＢである、請求項４に記載の方法。
【請求項６】
前記プロセッサが、前記Ｄ２Ｄ近接サービス通信に関連する確立要因を決定することと、
前記プロセッサが、利用可能なリソースを要求するために前記確立要因を備える無線リソース制御（ＲＲＣ）接続確立メッセージを前記サービングセルに送ることと
をさらに備える、請求項１に記載の方法。
【請求項７】
前記確立要因が、非高優先度モバイルデバイスまたは高優先度デバイスに関連し、前記要求されたリソースが、Ｄ２Ｄ近接サービス通信のための発見動作または通信動作に関連する、請求項６に記載の方法。
【請求項８】
リソースの前記プールが、Ｄ２Ｄ近接サービス通信のための発見動作に関連する、請求項１に記載の方法。
【請求項９】
前記プロセッサが、無線リソース制御（ＲＲＣ）アイドルモードまたはＲＲＣ接続モードにある間に前記サービングセルから受信された前記メッセージを処理すること
をさらに備える、請求項１に記載の方法。
【請求項１０】
前記後続のメッセージがタイプ１７システム情報ブロック（ＳＩＢ）を備える、請求項１に記載の方法。
【請求項１１】
前記プロセッサが、モバイルデバイス上の無線リソース制御（ＲＲＣ）プロトコルによって、ＡＣＢがＤ２Ｄ近接サービス通信のためにアクティブであると決定することと、
前記プロセッサが、Ｄ２Ｄ近接サービス通信が禁止されたという指示を前記モバイルデバイス上のプロトコルに通信することと
をさらに備える、請求項１に記載の方法。
【請求項１２】
前記メッセージは、ＡＣＢがアクティブであることを示す情報を備えるシステム情報ブロック（ＳＩＢ）を備える、請求項１１に記載の方法。
【請求項１３】
前記ＳＩＢがタイプ２ＳＩＢである、請求項１２に記載の方法。
【請求項１４】
前記プロトコルが近接サービスプロトコルであり、Ｄ２Ｄ近接サービス通信が禁止されたという前記指示を通信することは、
前記プロセッサが、前記近接サービスプロトコルからサービス要求メッセージを受信することと、
前記プロセッサが、Ｄ２Ｄ近接サービス通信のための発見動作が禁止されたという指示を前記近接サービスプロトコルに通信することと
を備える、請求項１１に記載の方法。
【請求項１５】
前記モバイルデバイスが、ＲＲＣアイドルモードまたはＲＲＣ接続モードにある、請求項１４に記載の方法。
【請求項１６】
前記プロトコルが非アクセス層（ＮＡＳ）プロトコルであり、Ｄ２Ｄ近接サービス通信が禁止されたという前記指示を通信することは、
前記プロセッサが、前記モバイルデバイス上の前記ＮＡＳプロトコルからサービス要求メッセージを受信することと、
前記プロセッサが、Ｄ２Ｄ近接サービス通信のための通信動作が禁止されたことを示すサービス要求拒否メッセージを前記ＮＡＳプロトコルに通信することと
を備える、請求項１１に記載の方法。
【請求項１７】
前記モバイルデバイスがＲＲＣアイドルモードにある、請求項１６に記載の方法。
【請求項１８】
前記プロセッサが、モバイルデバイス上の無線リソース制御（ＲＲＣ）プロトコルによって、ＡＣＢがＤ２Ｄ近接サービス通信のためにアクティブであると決定すること
をさらに備える、請求項１に記載の方法。
【請求項１９】
前記リソースが、Ｄ２Ｄ近接サービス通信のための発見動作に関連するリソースであり、
前記プロセッサが、前記発見動作のための無線リソースに関連する情報を削除することをさらに備え、
ここにおいて、前記モバイルデバイスが、ＲＲＣアイドルモードまたはＲＲＣ接続モードにある、請求項１８に記載の方法。
【請求項２０】
前記リソースが、Ｄ２Ｄ近接サービス通信のための通信動作リソースであり、
前記プロセッサが、Ｄ２Ｄ近接サービス通信のためのバッファステータス報告を送ることを控えることをさらに備え、
ここにおいて、前記モバイルデバイスがＲＲＣ接続モードにある、請求項１８に記載の方法。
【請求項２１】
前記リソースが、Ｄ２Ｄ近接サービス通信のための通信動作リソースであり、
前記プロセッサが、前記通信動作リソースのための無線チャネルパラメータに関連する情報を削除することをさらに備え、
ここにおいて、前記モバイルデバイスが、ＲＲＣアイドルモードまたはＲＲＣ接続モードにある、請求項１８に記載の方法。
【請求項２２】
ワイヤレス通信のための装置であって、
プロセッサと、
前記プロセッサと電子通信しているメモリと、
前記メモリに記憶されている命令と
を備え、前記命令は、
サービングセルからメッセージを受信することと、前記メッセージが、デバイスツーデバイス（Ｄ２Ｄ）近接サービス通信のためのアクセスクラス禁止（ＡＣＢ）パラメータを示す情報を備える、
ＡＣＢがＤ２Ｄ近接サービス通信のためにアクティブであると決定することと、
前記決定することに基づいて、前記ＡＣＢパラメータと禁止条件とを用いて、Ｄ２Ｄ近接サービス通信のためのリソース利用可能性を識別することと、
前記決定することに基づいて、前記サービングセルからの後続のメッセージを処理することを控えることと、前記後続のメッセージが、Ｄ２Ｄ近接サービス通信のためのリソースのプールに関連する情報を備える
を行うために前記プロセッサによって実行可能である、ワイヤレス通信のための装置。
【請求項２３】
ワイヤレス通信のための装置であって、
サービングセルからメッセージを受信するための手段と、前記メッセージが、デバイスツーデバイス（Ｄ２Ｄ）近接サービス通信のためのアクセスクラス禁止（ＡＣＢ）パラメータを示す情報を備える、
ＡＣＢがＤ２Ｄ近接サービス通信のためにアクティブであると決定するための手段と、
前記決定に基づいて、前記ＡＣＢパラメータと禁止条件とを用いて、Ｄ２Ｄ近接サービス通信のためのリソース利用可能性を識別するための手段と、
前記決定に基づいて、前記サービングセルからの後続のメッセージを処理することを控えるための手段と、前記後続のメッセージが、Ｄ２Ｄ近接サービス通信のためのリソースのプールに関連する情報を備える
を備える、ワイヤレス通信のための装置。
【請求項２４】
ワイヤレス通信の方法であって、
プロセッサが、デバイスツーデバイス（Ｄ２Ｄ）近接サービス通信のためのアクセスクラス禁止（ＡＣＢ）パラメータを決定することと、
前記プロセッサが、メッセージを少なくとも１つのモバイルデバイスに送ることと、前記メッセージが、Ｄ２Ｄ近接サービス通信のための前記ＡＣＢパラメータを示す情報を備える、
前記プロセッサが、ＡＣＢがアクティブであると決定することと、
前記プロセッサが、ＡＣＢがアクティブであると決定することに基づいて、Ｄ２Ｄ近接サービス通信に関連するリソースを削除することと、ここにおいて、前記リソースを削除することが、前記リソースの指示を後続のメッセージ中で１つまたは複数モバイルデバイスに送ることを控えることを備え、ここにおいて、前記後続のメッセージがタイプ１７システム情報ブロック（ＳＩＢ）を備える、
を備える、ワイヤレス通信の方法。
【請求項２５】
前記ＡＣＢパラメータが、非高優先度モバイルデバイスのための発見動作、非高優先度モバイルデバイスのための通信動作、高優先度モバイルデバイスのための発見動作、および高優先度モバイルデバイスのための通信動作のうちの１つまたは複数のためのＡＣＢパラメータを備える、請求項２４に記載の方法。
【請求項２６】
前記プロセッサが、Ｄ２Ｄ近接サービス通信のための利用可能なリソースを要求するメッセージを少なくとも１つのモバイルデバイスから受信すること、ここにおいて、前記メッセージが、無線リソース制御（ＲＲＣ）接続要求メッセージを備える、
をさらに備える、請求項２４に記載の方法。
【請求項２７】
前記ＲＲＣ接続要求メッセージが、非高優先度モバイルデバイスのための発見動作、非高優先度モバイルデバイスのための通信動作、高優先度モバイルデバイスのための発見動作、および高優先度モバイルデバイスのための通信動作のうちの１つまたは複数に基づく接続確立節を備える、請求項２６に記載の方法。
【請求項２８】
前記メッセージが、前記ＡＣＢパラメータを伝達するＳＩＢを備え、ここにおいて、前記ＳＩＢがタイプ２ＳＩＢである、請求項２４に記載の方法。
【発明の詳細な説明】
【技術分野】
【０００１】
相互参照
[0001]本特許出願は、各々が本出願の譲受人に譲渡された、２０１５年７月２７日に出願された、「Access Class Barring for Device-to-Device Proximity Service Communications」と題する、Ｚｉｓｉｍｏｐｏｕｌｏｓらによる米国特許出願第１４／８０９，９５８号、および２０１４年８月１１日に出願された、「Access Class Barring for Device-to-Device Proximity Service Communications」と題する、Ｚｉｓｉｍｏｐｏｕｌｏｓらによる米国仮特許出願第６２／０３５，８６０号の優先権を主張する。
【０００２】
[0002]本開示は、たとえば、ワイヤレス通信システムに関し、より詳細には、デバイスツーデバイス近接サービス通信（proximity service communications）のためのアクセスクラス禁止（access class barring）の実装に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。ＵＥは、たとえば、いくつかの緊急シナリオにおいて基地局へのアクセスを制御する禁止プロトコル（barring protocol）に関連するアクセスクラスパラメータを割り当てられ得る。通常（または非高優先度）ＵＥは、アクセスクラス０〜９を割り当てられ得る。高優先度ＵＥは、アクセスクラス１１〜１５を割り当てられ得る。サービス（たとえば、オーディオ／テレビ電話サービス、メッセージングサービスなど）に基づいて他のアクセスクラスが割り当てられ得る。アクセスクラス禁止がアクティブであるとき、禁止条件（barring condition）および割り当てられたアクセスクラスパラメータが、リソースが特定のＵＥまたはサービスのために利用可能であるかどうかを決定し得る。
【０００５】
[0005]デバイスツーデバイス（Ｄ２Ｄ）通信は、ＵＥ間の直接ワイヤレス通信を伴う。Ｄ２Ｄ通信は、同じ地理的エリア内のＵＥ間で実行されるための近接サービス機能を提供し得る。例示的な近接サービス機能は、定義された地理的エリア内での告知、ショッピングモール内でのセール情報などを含み得る。ＵＥは、直接発見、直接通信などに関連するリソースにアクセスすることによって、Ｄ２Ｄ近接サービス通信を介して通信し得る。現在のアクセスクラス禁止プロシージャは、Ｄ２Ｄ近接サービス通信を考慮しないことがあり、したがって、ＵＥは、アクセスクラス禁止がアクティブであるときに、Ｄ２Ｄ近接サービス通信のためのリソースにアクセスすることの困難を経験するかまたはそのことを妨げられることがある。
【発明の概要】
【０００６】
[0006]説明する特徴は、一般に、Ｄ２Ｄ近接サービス通信のためのアクセスクラス禁止（ＡＣＢ）プロシージャのための１つまたは複数の改善されたシステム、方法、および／または装置に関する。いくつかの例では、アクセスクラスがＤ２Ｄ近接サービス通信に与えられる。アクセスクラスは、たとえば、通常優先度ＵＥのための直接発見、高優先度ＵＥのための直接発見、通常優先度ＵＥのための直接通信、および／または高優先度ＵＥのための直接通信に関連するＡＣＢパラメータを含み得る。ＡＣＢパラメータは、ＵＥに割り当てられ、メッセージ、たとえば、タイプ２ＳＩＢ中でサービングセルから与えられ得る。ＵＥは、割り当てられたＡＣＢパラメータに基づいて、たとえば、禁止がアクティブであるのかアクティブでないのかと、アクティブであるとき、禁止条件と割り当てられたＡＣＢパラメータとに応じて、利用可能なリソースを識別し得る。リソース、たとえば、発見リソースまたは通信リソースが利用可能であるとき、ＵＥは、割り当てられたＡＣＢパラメータに関連する確立要因（establishment cause）を有する無線リソース制御（ＲＲＣ）接続要求メッセージを送ることによって、リソースを要求し得る。
【０００７】
[0007]例示的な例の第１のセットでは、ワイヤレス通信のための方法が提供される。本方法は、サービングセルからメッセージを受信することと、メッセージが、デバイスツーデバイス（Ｄ２Ｄ）近接サービス通信のためのアクセスクラス禁止（ＡＣＢ）パラメータを示す情報を備える、ＡＣＢパラメータに少なくとも部分的に基づいて、Ｄ２Ｄ近接サービス通信のためのリソース利用可能性を識別することとを含み得る。
【０００８】
[0008]いくつかの態様では、ＡＣＢパラメータは、非高優先度モバイルデバイスに関連し得、リソースは、Ｄ２Ｄ近接サービス通信のための発見動作に関連し得る。ＡＣＢパラメータは、非高優先度モバイルデバイスに関連し得、リソースは、Ｄ２Ｄ近接サービス通信のための通信動作に関連し得る。ＡＣＢパラメータは、高優先度モバイルデバイスに関連し得、リソースは、Ｄ２Ｄ近接サービス通信のための発見動作に関連し得る。ＡＣＢパラメータは、高優先度モバイルデバイスに関連し得、リソースは、Ｄ２Ｄ近接サービス通信のための通信動作に関連し得る。
【０００９】
[0009]いくつかの態様では、本方法は、無線リソース制御（ＲＲＣ）アイドルモードまたはＲＲＣ接続モードにある間にサービングセルから受信されたメッセージを処理することを含み得る。メッセージは、ＡＣＢパラメータを伝達するシステム情報ブロック（ＳＩＢ）を含み得る。そのＳＩＢはタイプ２ＳＩＢであり得る。
【００１０】
[0010]いくつかの態様では、本方法は、Ｄ２Ｄ近接サービス通信に関連する確立要因を決定することと、利用可能なリソースを要求するために確立要因を備える無線リソース制御（ＲＲＣ）接続確立メッセージをサービングセルに送ることとを含み得る。確立要因は、非高優先度モバイルデバイスに関連し得、要求されたリソースは、Ｄ２Ｄ近接サービス通信のための発見動作に関連し得る。確立要因は、非高優先度モバイルデバイスに関連し得、要求されたリソースは、Ｄ２Ｄ近接サービス通信のための通信動作に関連し得る。確立要因は、高優先度モバイルデバイスに関連し得、要求されたリソースは、Ｄ２Ｄ近接サービス通信のための発見動作に関連し得る。確立要因は、高優先度モバイルデバイスに関連し得、要求されたリソースは、Ｄ２Ｄ近接サービス通信のための通信動作に関連し得る。
【００１１】
[0011]いくつかの態様では、本方法は、ＡＣＢがＤ２Ｄ近接サービス通信のためにアクティブであり得ると決定することと、サービングセルからの後続のメッセージを処理することを控えることとを含み、後続のメッセージは、Ｄ２Ｄ近接サービス通信のためのリソースのプールに関連する情報を備え得る。リソースのプールは、Ｄ２Ｄ近接サービス通信のための発見動作に関連し得る。本方法は、無線リソース制御（ＲＲＣ）アイドルモードまたはＲＲＣ接続モードにある間にサービングセルから受信されたメッセージを処理することを含み得る。後続のメッセージは、タイプ１７システム情報ブロック（ＳＩＢ）を含み得る。
【００１２】
[0012]いくつかの態様では、本方法は、モバイルデバイス上の無線リソース制御（ＲＲＣ）プロトコルによって、ＡＣＢがＤ２Ｄ近接サービス通信のためにアクティブであり得ると決定することと、Ｄ２Ｄ近接サービス通信が禁止されたという指示をモバイルデバイス上のプロトコルに通信することとを含み得る。メッセージは、ＡＣＢがアクティブであり得ることを示す情報を備えるシステム情報ブロック（ＳＩＢ）を含み得る。そのＳＩＢはタイプ２ＳＩＢであり得る。プロトコルは、近接サービスプロトコルであり得、Ｄ２Ｄ近接サービス通信が禁止されたという指示を通信することは、Ｄ２Ｄ近接サービス通信のための発見動作が禁止されたという指示を近接サービスプロトコルに通信することを含み得る。モバイルデバイスは、ＲＲＣアイドルモードまたはＲＲＣ接続モードにあり得る。プロトコルは、近接サービスプロトコルであり得、Ｄ２Ｄ近接サービス通信が禁止されたという指示を通信することは、近接サービスプロトコルからサービス要求メッセージを受信することと、Ｄ２Ｄ近接サービス通信のための発見動作が禁止されたという指示を近接サービスプロトコルに通信することとを含み得る。モバイルデバイスは、ＲＲＣアイドルモードまたはＲＲＣ接続モードにあり得る。
【００１３】
[0013]いくつかの態様では、プロトコルは、非アクセス層（ＮＡＳ）プロトコルであり得、Ｄ２Ｄ近接サービス通信が禁止されたという指示を通信することは、モバイルデバイス上のＮＡＳプロトコルからサービス要求メッセージを受信することと、Ｄ２Ｄ近接サービス通信のための通信動作が禁止されたことを示すサービス要求拒否メッセージをＮＡＳプロトコルに通信することとを含み得る。モバイルデバイスはＲＲＣアイドルモードにあり得る。
【００１４】
[0014]いくつかの態様では、本方法は、モバイルデバイス上の無線リソース制御（ＲＲＣ）プロトコルによって、ＡＣＢがＤ２Ｄ近接サービス通信のためにアクティブであり得ると決定することを含み得る。リソースは、Ｄ２Ｄ近接サービス通信のための発見動作リソースであり得、発見動作のための無線リソースに関連する情報を削除することを含み得る。モバイルデバイスは、ＲＲＣアイドルモードまたはＲＲＣ接続モードにあり得る。リソースは、Ｄ２Ｄ近接サービス通信のためのバッファステータス報告を送ることを控えることを含み得る、Ｄ２Ｄ近接サービス通信のための通信動作リソースであり得る。モバイルデバイスはＲＲＣ接続モードにあり得る。
【００１５】
[0015]いくつかの態様では、リソースは、通信動作リソースのための無線チャネルパラメータに関連する情報を削除することを含み得る、Ｄ２Ｄ近接サービス通信のための通信動作リソースであり得る。モバイルデバイスは、ＲＲＣアイドルモードまたはＲＲＣ接続モードにあり得る。
【００１６】
[0016]例示的な例の第２のセットでは、ワイヤレス通信のための装置が提供される。本装置は、プロセッサと、プロセッサと電子通信しているメモリと、メモリに記憶されている命令とを含み得る。サービングセルからメッセージを受信することと、メッセージが、デバイスツーデバイス（Ｄ２Ｄ）近接サービス通信のためのアクセスクラス禁止（ＡＣＢ）パラメータを示す情報を備える、ＡＣＢパラメータに少なくとも部分的に基づいて、Ｄ２Ｄ近接サービス通信のためのリソース利用可能性を識別することとを行うためにプロセッサによって実行可能である命令。
【００１７】
[0017]いくつかの態様では、ＡＣＢパラメータは、非高優先度モバイルデバイスに関連し得、リソースは、Ｄ２Ｄ近接サービス通信のための発見動作に関連し得る。ＡＣＢパラメータは、非高優先度モバイルデバイスに関連し得、リソースは、Ｄ２Ｄ近接サービス通信のための通信動作に関連し得る。ＡＣＢパラメータは、高優先度モバイルデバイスに関連し得、リソースは、Ｄ２Ｄ近接サービス通信のための発見動作に関連し得る。ＡＣＢパラメータは、高優先度モバイルデバイスに関連し得、リソースは、Ｄ２Ｄ近接サービス通信のための通信動作に関連し得る。
【００１８】
[0018]いくつかの態様では、本装置は、無線リソース制御（ＲＲＣ）アイドルモードまたはＲＲＣ接続モードにある間にサービングセルから受信されたメッセージを処理するためにプロセッサによって実行可能な命令を含み得る。メッセージは、ＡＣＢパラメータを伝達するシステム情報ブロック（ＳＩＢ）を含み得る。そのＳＩＢはタイプ２ＳＩＢであり得る。
【００１９】
[0019]いくつかの態様では、本装置は、Ｄ２Ｄ近接サービス通信に関連する確立要因を決定することと、利用可能なリソースを要求するために確立要因を備える無線リソース制御（ＲＲＣ）接続確立メッセージをサービングセルに送ることとを行うためにプロセッサによって実行可能な命令を含み得る。確立要因は、非高優先度モバイルデバイスに関連し得、要求されたリソースは、Ｄ２Ｄ近接サービス通信のための発見動作に関連し得る。確立要因は、非高優先度モバイルデバイスに関連し得、要求されたリソースは、Ｄ２Ｄ近接サービス通信のための通信動作に関連し得る。確立要因は、高優先度モバイルデバイスに関連し得、要求されたリソースは、Ｄ２Ｄ近接サービス通信のための発見動作に関連し得る。確立要因は、高優先度モバイルデバイスに関連し得、要求されたリソースは、Ｄ２Ｄ近接サービス通信のための通信動作に関連し得る。
【００２０】
[0020]いくつかの態様では、本装置は、ＡＣＢがＤ２Ｄ近接サービス通信のためにアクティブであり得ると決定することと、サービングセルからの後続のメッセージを処理することを控えることとを行うためにプロセッサによって実行可能な命令を含み、後続のメッセージは、Ｄ２Ｄ近接サービス通信のためのリソースのプールに関連する情報を備え得る。リソースのプールは、Ｄ２Ｄ近接サービス通信のための発見動作に関連し得る。本装置は、無線リソース制御（ＲＲＣ）アイドルモードまたはＲＲＣ接続モードにある間にサービングセルから受信されたメッセージを処理するためにプロセッサによって実行可能な命令を含み得る。後続のメッセージは、タイプ１７システム情報ブロック（ＳＩＢ）を含み得る。
【００２１】
[0021]いくつかの態様では、本装置は、モバイルデバイス上の無線リソース制御（ＲＲＣ）プロトコルによって、ＡＣＢがＤ２Ｄ近接サービス通信のためにアクティブであり得ると決定することと、Ｄ２Ｄ近接サービス通信が禁止されたという指示をモバイルデバイス上のプロトコルに通信することとを行うためにプロセッサによって実行可能な命令を含み得る。
【００２２】
[0022]例示的な例の第３のセットでは、ワイヤレス通信のための装置が提供される。本装置は、サービングセルからメッセージを受信するための手段と、メッセージが、デバイスツーデバイス（Ｄ２Ｄ）近接サービス通信のためのアクセスクラス禁止（ＡＣＢ）パラメータを示す情報を備える、ＡＣＢパラメータに少なくとも部分的に基づいて、Ｄ２Ｄ近接サービス通信のためのリソース利用可能性を識別するための手段とを含み得る。
【００２３】
[0023]いくつかの態様では、ＡＣＢパラメータは、非高優先度モバイルデバイスに関連し得、リソースは、Ｄ２Ｄ近接サービス通信のための発見動作に関連し得る。ＡＣＢパラメータは、非高優先度モバイルデバイスに関連し得、リソースは、Ｄ２Ｄ近接サービス通信のための通信動作に関連し得る。ＡＣＢパラメータは、高優先度モバイルデバイスに関連し得、リソースは、Ｄ２Ｄ近接サービス通信のための発見動作に関連し得る。ＡＣＢパラメータは、高優先度モバイルデバイスに関連し得、リソースは、Ｄ２Ｄ近接サービス通信のための通信動作に関連し得る。
【００２４】
[0024]いくつかの態様では、本装置は、無線リソース制御（ＲＲＣ）アイドルモードまたはＲＲＣ接続モードにある間にサービングセルから受信されたメッセージを処理するための手段を含み得る。メッセージは、ＡＣＢパラメータを伝達するシステム情報ブロック（ＳＩＢ）を含み得る。そのＳＩＢはタイプ２ＳＩＢであり得る。
【００２５】
[0025]いくつかの態様では、本装置は、Ｄ２Ｄ近接サービス通信に関連する確立要因を決定するための手段と、利用可能なリソースを要求するために確立要因を備える無線リソース制御（ＲＲＣ）接続確立メッセージをサービングセルに送るための手段とを含み得る。
【００２６】
[0026]例示的な例の第４のセットでは、ワイヤレス通信のためのコンピュータ実行可能コードを記憶する非一時的コンピュータ可読媒体が提供される。コードは、サービングセルからメッセージを受信することと、メッセージが、デバイスツーデバイス（Ｄ２Ｄ）近接サービス通信のためのアクセスクラス禁止（ＡＣＢ）パラメータを示す情報を備える、ＡＣＢパラメータに少なくとも部分的に基づいて、Ｄ２Ｄ近接サービス通信のためのリソース利用可能性を識別することとを行うためにプロセッサによって実行可能であり得る。
【００２７】
[0027]例示的な例の第５のセットでは、ワイヤレス通信の方法が提供される。本方法は、デバイスツーデバイス（Ｄ２Ｄ）近接サービス通信のためのアクセスクラス禁止（ＡＣＢ）パラメータを決定することと、メッセージを少なくとも１つのモバイルデバイスに送ることとを含み、メッセージは、Ｄ２Ｄ近接サービス通信のためのＡＣＢパラメータを示す情報を備え得る。
【００２８】
[0028]いくつかの態様では、ＡＣＢパラメータは、非高優先度モバイルデバイスのための発見動作、非高優先度モバイルデバイスのための通信動作、高優先度モバイルデバイスのための発見動作、および高優先度モバイルデバイスのための通信動作のうちの１つまたは複数のためのＡＣＢパラメータを含み得る。本方法は、Ｄ２Ｄ近接サービス通信のための利用可能なリソースを要求するメッセージを少なくとも１つのモバイルデバイスから受信することを含み得る。メッセージは、無線リソース制御（ＲＲＣ）接続要求メッセージを含み得る。ＲＲＣ接続要求メッセージは、非高優先度モバイルデバイスのための発見動作、非高優先度モバイルデバイスのための通信動作、高優先度モバイルデバイスのための発見動作、および高優先度モバイルデバイスのための通信動作のうちの１つまたは複数に基づく接続確立節を含み得る。
【００２９】
[0029]いくつかの態様では、本方法は、ＡＣＢがアクティブであり得ると決定することと、Ｄ２Ｄ近接サービス通信に関連するリソースを削除することとを含み得る。リソースを削除することは、リソースの指示を後続のメッセージ中で１つまたは複数のモバイルデバイスに送ることを控えることを含み得る。メッセージは、ＡＣＢパラメータを伝達するシステム情報ブロック（ＳＩＢ）を含み得る。そのＳＩＢはタイプ２ＳＩＢであり得る。後続のメッセージは、タイプ１７システム情報ブロック（ＳＩＢ）を含み得る。
【００３０】
[0030]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性は、それらの編成と動作の方法の両方とも、関連する利点とともに、添付の図に関連して以下の説明を検討するとより良く理解されよう。図の各々は、例示および説明のみの目的で提供され、特許請求の範囲を定めるものではない。
【００３１】
[0031]以下の図面を参照することにより、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００３２】
【図１】[0032]本開示の様々な態様による、ワイヤレス通信システムのブロック図。
【図２】[0033]本開示の様々な態様による、ワイヤレス通信において使用するために構成されたデバイスのブロック図。
【図３】[0034]本開示の様々な態様による、ワイヤレス通信において使用するために構成されたデバイスのブロック図。
【図４】[0035]本開示の様々な態様による、ワイヤレス通信システムのブロック図。
【図５】[0036]本開示の様々な態様による、ワイヤレス通信において使用するための装置のブロック図。
【図６】[0037]本開示の様々な態様による、ワイヤレス通信において使用するための装置のブロック図。
【図７】[0038]本開示の様々な態様による、ワイヤレス通信において使用するための基地局（たとえば、ｅＮＢの一部または全部を形成する基地局）のブロック図。
【図８】[0039]本開示の様々な態様による、Ｄ２Ｄ近接サービス通信の態様を示すスイム図（swim diagram）。
【図９】[0040]本開示の様々な態様による、Ｄ２Ｄ近接サービス通信の態様を示すスイム図。
【図１０】[0041]本開示の様々な態様による、Ｄ２Ｄ近接サービス通信の態様を示すスイム図。
【図１１】[0042]本開示の様々な態様による、Ｄ２Ｄ近接サービス通信の態様を示すスイム図。
【図１２】[0043]本開示の様々な態様による、Ｄ２Ｄ近接サービス通信の態様を示すスイム図。
【図１３】[0044]本開示の様々な態様による、Ｄ２Ｄ近接サービス通信の態様を示すスイム図。
【図１４】[0045]本開示の様々な態様による、ワイヤレス通信のための方法の一例を示すフローチャート。
【図１５】[0046]本開示の様々な態様による、ワイヤレス通信のための方法の一例を示すフローチャート。
【図１６】[0047]本開示の様々な態様による、ワイヤレス通信のための方法の一例を示すフローチャート。
【発明を実施するための形態】
【００３３】
[0048]現在、Ｄ２Ｄ近接サービス通信に参加することを望むＵＥが、たとえば、Ｄ２Ｄ近接サービス通信のための所望のリソースの性質を考慮しないことがある禁止条件に基づいて、リソースへのアクセスを拒否されることがある。既存のプロトコルはまた、アクセス禁止がアクティブであるとき、矛盾するリソース割振りを与えることがある。たとえば、サービング基地局によって割り当てられたリソースを使用して発見動作および／または通信動作を実行するＵＥが、アクセス禁止がアクティブであるとき、リソースにアクセスすることを禁止されることがある。しかしながら、発見動作および／または通信動作を実行するＵＥが、アクセス禁止がアクティブである間、システム情報ブロック（ＳＩＢ）中で伝達された情報に基づいてリソースの非ＵＥ固有（non-UE specific）プールにアクセスすることがある。したがって、現在のアクセス禁止プロシージャは、Ｄ２Ｄ近接サービス通信を考慮せず、いくつかの状況では、Ｄ２Ｄ近接サービス通信のためにリソースにアクセスするＵＥにとって矛盾する結果を生じることがある。
【００３４】
[0049]本明細書の態様によれば、ＡＣＢパラメータが、Ｄ２Ｄ近接サービス通信のために定義され、ＵＥに与えられる。ＡＣＢパラメータは、通常優先度ＵＥおよび高優先度ＵＥのための発見リソース、通常優先度ＵＥおよび高優先度ＵＥのための通信リソースなどのために定義され得る。ＡＣＢパラメータは、たとえば、サービング基地局によってＵＥに通信され得る。ＵＥは、割り当てられたＡＣＢパラメータに基づいてリソースの利用可能性を識別し得る。たとえば、アクセスクラス禁止がアクティブであるとき、ＵＥは、割り当てられたＡＣＢパラメータと禁止条件、たとえば、緊急状況とに基づいて、リソースの利用可能性を識別し得る。ＵＥは、ＲＲＣ接続要求（または確立メッセージ）をサービング基地局に送ることによって、利用可能として識別されたリソースを要求し得る。ＲＲＣ接続要求メッセージは、割り当てられたＡＣＢパラメータ、たとえば、通常優先度ＵＥおよび高優先度ＵＥのための発見動作ならびに通常優先度ＵＥおよび高優先度ＵＥのための通信動作に対応する確立要因を含み得る。したがって、サービング基地局は、Ｄ２Ｄ近接サービス通信のためのアクセスクラス禁止シナリオ中にリソースを割り振り得る。
【００３５】
[0050]以下の説明は、例を与えるものであり、特許請求の範囲に記載される範囲、適用性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わされ得る。
【００３６】
[0051]図１に、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接的または間接的に（たとえば、コアネットワーク１３０を通して）通信し得る。
【００３７】
[0052]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局および／またはスモールセル基地局）を含み得る。異なる技術のための重複する地理的カバレージエリア１１０があり得る。
【００３８】
[0053]いくつかの例では、ワイヤレス通信システム１００はＬＴＥ（登録商標）／ＬＴＥ−Ａネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、および／または他のタイプのセルに通信カバレージを与え得る。「セル」という用語は、コンテキストに応じて、基地局、基地局に関連するキャリアもしくは構成要素、またはキャリアもしくは基地局のカバレージエリア（たとえば、セクタなど）を表すために使用され得る３ＧＰＰ（登録商標）用語である。
【００３９】
[0054]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、同じまたは異なる（たとえば、認可、無認可などの）周波数帯域内でマクロセルとして動作し得る低電力基地局である。スモールセルは、様々な例によれば、ピコセル、フェムトセル、およびマイクロセルを含み得る。ピコセルは、比較的小さい地理的エリアをカバーし得、ネットワークプロバイダのサービスに加入しているＵＥによる無制限アクセスを可能にし得る。また、フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００４０】
[0055]ワイヤレス通信システム１００は、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００４１】
[0056]様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００４２】
[0057]ＵＥ１１５はワイヤレス通信システム１００全体にわたって分散され、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅＮＢ、スモールセルｅＮＢ、リレー基地局などを含む、様々なタイプの基地局およびネットワーク機器と通信することが可能であり得る。ＵＥ１１５はまた、たとえば、近接サービス通信機能のために、Ｄ２Ｄ通信を介して基地局の同じカバレージエリアの内部または外部のいずれかの他のＵＥと通信することが可能であり得る。ＵＥ１１５は、方向発見のための近接サービスアプリケーションコードと、直接通信のための近接サービスカプセル化インターネットプロトコル（ＩＰ）パケットとを搬送するＰＣ５エアインターフェース（たとえば、第３世代パートナーシッププロジェクト、技術仕様２３．３０３に記載されているＰＣ５基準点）を介して、他のＵＥと通信することが可能であり得る。同様に、ＵＥ１１５は、直接発見のための許可ポリシーを配信し、直接発見のために使用される近接サービスアプリケーション識別情報に対応するコードの割振り／解決を実行するために、ＰＣ３オーバーＩＰ基準点プロトコルを介して近接サービス機能と通信することが可能であり得る。
【００４３】
[0058]ワイヤレス通信システム１００に示された通信リンク１２５は、ＵＥ１１５から基地局１０５へのアップリンク（ＵＬ）送信および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、（たとえば、対スペクトルリソースを使用する）ＦＤＤ動作または（たとえば、不対スペクトルリソースを使用する）ＴＤＤ動作を使用して、双方向通信を送信し得る。ＦＤＤのためのフレーム構造（たとえば、フレーム構造タイプ１）とＴＤＤのためのフレーム構造（たとえば、フレーム構造タイプ２）とが定義され得る。
【００４４】
[0059]システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００４５】
[0060]ワイヤレス通信システム１００は、Ｄ２Ｄ近接サービス通信のためのアクセスクラス禁止動作（access class barring operation）をサポートし得る。基地局１０５は、単独で、あるいは１つまたは複数の他のネットワークエンティティと協働して、それのカバレージエリア内のＵＥ１１５のためのＡＣＢパラメータを決定し、伝達し得る。ＡＣＢパラメータは、Ｄ２Ｄ近接サービス通信に関連する発見動作／通信動作のための通常優先度ＵＥ／高優先度ＵＥに対応し得る。たとえば、ＡＣＢパラメータは、タイプ２ＳＩＢ中でＵＥに伝達され得る。ＵＥは、割り当てられたＡＣＢパラメータに基づいてリソースが利用可能であるかどうかを識別し得る。たとえば、アクセスクラス禁止がアクティブであるとき、ＵＥは、禁止条件／禁止制限と、ＵＥの割り当てられたＡＣＢパラメータとに基づいてリソースを識別し得る。禁止制限が、割り当てられたＡＣＢパラメータのためのリソース割振りを妨げる場合、ＵＥは、リソースが利用可能でないと決定し得る。リソース割振りが禁止されない場合、ＵＥは、リソースが利用可能であると決定し得、次いで、ＵＥのサービング基地局１０５にリソースを要求する要求を送り得る。要求は、たとえば、割り当てられたＡＣＢパラメータに対応する、Ｄ２Ｄ近接サービス通信に基づいて定義された確立要因を含むＲＲＣ接続要求メッセージであり得る。
【００４６】
[0061]図２に、本開示の様々な態様による、ワイヤレス通信において使用するためのデバイス１１５−ａのブロック図２００を示す。デバイス１１５−ａは、図１を参照しながら説明したＵＥ１１５の１つまたは複数の態様の一例であり得る。デバイス１１５−ａは、受信機モジュール２０５、アクセスクラス禁止（ＡＣＢ）モジュール２１０、および／または送信機モジュール２１５を含み得る。デバイス１１５−ａはまた、プロセッサであるか、またはプロセッサを含み得る（図示せず）。これらのモジュールの各々は互いと通信していることがある。
【００４７】
[0062]デバイス１１５−ａの構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【００４８】
[0063]受信機モジュール２０５は、パケット、ユーザデータ、および／または様々な情報チャネル（たとえば、制御チャネル、データチャネルなど）に関連する制御情報などの情報を受信し得る。受信機モジュール２０５は、Ｄ２Ｄ近接サービス通信のためのアクセスクラス禁止動作に関連する情報を含むメッセージをサービング基地局から受信し得る。受信機モジュール２０５はまた、情報を含むかまたは場合によっては近接サービス通信に関連する信号、たとえば、発見信号、通信などをＤ２Ｄ通信を介して異なるＵＥから受信し得る。情報は、ＡＣＢモジュール２１０に、およびデバイス１１５−ａの他の構成要素に受け渡され得る。
【００４９】
[0064]ＡＣＢモジュール２１０は、デバイス１１５−ａのためのアクセスクラス禁止動作を管理し得る。ＡＣＢモジュール２１０は、デバイス１１５−ａに割り当てられたＡＣＢパラメータを含むメッセージを受信機モジュール２０５を介してサービングセルから受信し得る。ＡＣＢモジュール２１０は、割り当てられたＡＣＢパラメータに基づいて、リソースがＤ２Ｄ近接サービス通信のために利用可能であるかどうかを識別するかまたは場合によっては決定し得る。たとえば、ＡＣＢモジュール２１０は、アクセスクラス禁止がアクティブであるのか非アクティブであるのかと、アクティブにされたとき、禁止条件および割り当てられたＡＣＢパラメータが、Ｄ２Ｄ近接サービス通信のためのリソース利用可能性を与えることになるかどうかとを決定し得る。Ｄ２Ｄ近接サービス通信のためのリソースが利用可能として識別されたとき、ＡＣＢモジュール２１０は、利用可能なリソースを要求するメッセージを送信機モジュール２１５を介してサービングセルに送り得る。
【００５０】
[0065]送信機モジュール２１５は、ＵＥ１１５−ｂの他の構成要素から受信された１つまたは複数の信号を送信し得る。送信機モジュール２１５は、パケット、ユーザデータ、および／または制御情報などの情報をサービングセルに送信し得る。送信機モジュール２１５は、アクセスクラス禁止動作とともにメッセージをサービングセルに送り得る。送信機モジュール２１５はまた、近接サービス通信のためのＤ２Ｄ通信を介して異なるＵＥに信号を送り得る。いくつかの例では、送信機モジュール２１５は、トランシーバモジュールにおいて受信機モジュール２０５とコロケートされ得る。
【００５１】
[0066]図３に、様々な例による、ワイヤレス通信において使用するためのデバイス１１５−ｂのブロック図３００を示す。デバイス１１５−ｂは、図１を参照しながら説明したＵＥ１１５の１つまたは複数の態様の一例であり得る。デバイス１１５−ｂは、図２を参照しながら説明したデバイス１１５−ａの一例であり得る。デバイス１１５−ｂは、デバイス１１５−ａの対応するモジュールの例であり得る、受信機モジュール２０５−ａ、ＡＣＢモジュール２１０−ａ、および／または送信機モジュール２１５−ａを含み得る。デバイス１１５−ｂ−ａはプロセッサをも含み得る（図示せず）。これらの構成要素の各々は互いと通信していることがある。ＡＣＢモジュール２１０−ａは、ＡＣＢ管理モジュール３０５と、近接サービス管理モジュール３１０と、リソース管理モジュール３１５と、ＲＲＣ接続管理モジュール３２０とを含み得る。受信機モジュール２０５−ａおよび送信機モジュール２１５−ａは、それぞれ、図２の受信機モジュール２０５および送信機モジュール２１５の機能を実行し得る。
【００５２】
[0067]デバイス１１５−ｂの構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【００５３】
[0068]ＡＣＢ管理モジュール３０５は、デバイス１１５−ｂのためのアクセスクラス禁止動作の態様を管理し得る。ＡＣＢ管理モジュール３０５は、サービングセルからＡＣＢパラメータを受信し得る。ＡＣＢパラメータは、アクセスクラス禁止動作に関して、デバイス１１５−ｂを発見動作または通信動作のための通常優先度ＵＥの１つまたは複数として割り当て得るか、またはＡＣＢパラメータは、デバイス１１５−ｂを発見動作および通信動作のための高優先度ＵＥとして割り当て得る。ＡＣＢ管理モジュール３０５は、たとえば、割り当てられたＡＣＢパラメータを決定するためにサービングセルから受信されたシステム情報ブロック（ＳＩＢ）を処理し得る。ＡＣＢ管理モジュール３０５はまた、アクセスクラス禁止動作がアクティブであるのか非アクティブであるのかを決定し得る。アクティブであるとき、ＡＣＢ管理モジュール３０５は、アクティブ禁止動作に関連する禁止条件、たとえば、緊急条件を決定し得る。ＡＣＢ管理モジュール３０５は、したがって、禁止解除状態（unbarred state）から禁止状態（barred state）へのデバイス１１５−ｂについての状態遷移を決定するか、または場合によっては制御し得る。ＡＣＢ管理モジュール３０５は、適用可能なとき、禁止状態／禁止解除状態と、割り当てられたＡＣＢパラメータと、禁止条件とを示す情報をＡＣＢモジュール２１０−ａの構成要素に出力し得る。
【００５４】
[0069]近接サービス管理モジュール３１０は、デバイス１１５−ｂのための近接サービス動作を管理し得る。たとえば、近接サービス管理モジュール３１０は、デバイス１１５−ｂの１つまたは複数の近接サービスプロトコルを含むか、またはそれらと通信し得る。近接サービス管理モジュール３１０は、（１つまたは複数の）近接サービスプロトコルと協働して、Ｄ２Ｄ近接サービス通信のための直接発見サービスのための近接サービスアプリケーションコードを（周期的におよびＤ２Ｄシグナリングなしに）出力し得る。さらに、近接サービス管理モジュール３１０は、デバイス１１５−ｂの１つまたは複数の他の構成要素と協働して、Ｄ２Ｄ近接サービス通信のための直接通信のためのカプセル化されたＩＰパケットを出力し得る。
【００５５】
[0070]近接サービス管理モジュール３１０は、受信機モジュール２０５−ａおよび／または送信機モジュール２１５−ａと協働して、Ｄ２Ｄ近接サービス通信のための１つまたは複数の発見要求（告知）信号を受信し、および／または送り得る。告知信号を送るとき、近接サービス管理モジュール３１０は、告知を送るために、識別および要求されたリソースを利用するために、ＡＣＢ管理モジュール３０５、リソース管理モジュール３１５、および／またはＲＲＣ接続管理モジュール３２０と協調し得る。発見告知メッセージは、近接サービス通信のためのアプリケーションコードを含み得る。
【００５６】
[0071]リソース管理モジュール３１５は、Ｄ２Ｄ近接サービス通信のためのリソース識別、要求、および／または制御の態様を管理し得る。いくつかの例では、リソース管理モジュール３１５は、直接発見動作にタイプ１リソースが関連するのかタイプ２リソースが関連するのかを決定し得る。タイプ１の場合、リソースは、たとえば、ＳＩＢ１７中でのシグナリングを介して、非ＵＥ固有ベースで割り振られ得る。たとえば、サービングセルが、それのカバレージエリア内のＵＥに、近接サービスアプリケーションコードを告知するために使用されるべきリソースプールを与え得る。サービングセルは、デバイス１１５−ｂがＲＲＣアイドルモードにあるときはＳＩＢ中で、およびデバイス１１５−ｂがＲＲＣ接続モードにあるときは非アクセス層（ＮＡＳ）シグナリングを介して、リソースプールに関連する情報をシグナリングし得る。リソース管理モジュール３１５は、リソースプールから無線リソースをランダムに選択し、告知を送るために、選択された無線リソースを使用し得る。タイプ２の場合、リソースは、ＵＥがＲＲＣ接続モードにあるとき、ＵＥごと固有（per-UE specific）ベースで割り振られ得る。たとえば、サービングセルが、ＲＲＣ接続モードにある間、ＲＲＣシグナリングを介してリソースをシグナリングし得る。ＵＥがＲＲＣアイドルモードに遷移したとき、ＵＥ固有リソースは解放され得る。
【００５７】
[0072]リソース管理モジュール３１５は、直接通信動作にモード１リソースが関連するのかモード２リソースが関連するのかを決定し得る。モード１の場合、通信リソースは、ＵＥがＲＲＣ接続モードにあるとき、ＵＥ固有ベースで割り振られる。ＵＥは、リソースをサービングセルに要求し得、サービングセルは、（１つまたは複数の）スケジューリング割当てとデータとの送信のためのリソースで応答し得る。ＵＥは、サービングセルへのスケジューリング要求（ＳＲ）またはランダムアクセスメッセージと、バッファステータス報告（ＢＳＲ）とを送ることによって、リソースを要求し得る。ＢＳＲは、ＵＥが送る必要があるデータを示す情報を伝達し得、ＵＥが近接サービス通信における直接通信のためのデータを有するという指示をも含み、必要とされるリソースを決定し得る。モード２の場合、通信リソースは非ＵＥ固有ベースで割り振られ得る。たとえば、ＵＥは、スケジューリング割当てとデータとを送信するために割り当てられたリソースのプールに、ランダムにアクセスし得る。サービングセルはリソースを割り振り、構成し得る。
【００５８】
[0073]リソース管理モジュール３１５は、ＡＣＢパラメータに基づいて、Ｄ２Ｄ近接サービス通信のためのリソースを識別し得る。たとえば、リソース管理モジュール３１５は、割り当てられたＡＣＢパラメータと、禁止動作がアクティブであるかどうかとの指示をＡＣＢ管理モジュール３０５から受信し得る。リソース管理モジュール３１５は、近接サービス機能要件、たとえば、直接発見、直接通信などの指示を近接サービス管理モジュール３１０から受信し得る。リソース管理モジュール３１５は、受信された指示と、ＲＲＣ接続モードと、発見／通信リソース割振りのための現在の構成（タイプ１／モード２またはタイプ２／モード１）とに基づいて、リソースが利用可能であるかどうかを識別し得る。リソースが利用可能として識別された場合、リソース管理モジュール３１５は、利用可能なリソースを要求するためにＲＲＣ接続管理モジュール３２０と協調し得る。
【００５９】
[0074]ＲＲＣ接続管理モジュール３２０は、デバイス１１５−ｂのためのＲＲＣ機能の態様を管理し得る。たとえば、ＲＲＣ接続管理モジュール３２０は、デバイス１１５−ｂのためのＲＲＣ接続を管理し、現在のＲＲＣ接続モード、たとえば、接続またはアイドルを示す情報を出力し得る。ＲＲＣ接続管理モジュール３２０は、たとえば、リソースが利用可能であるという指示をリソース管理モジュール３１５から受信し、リソースをサービングセルに要求し得る。たとえば、ＲＲＣ接続管理モジュールは、Ｄ２Ｄ近接サービス通信に関連する確立要因を含むＲＲＣ接続要求メッセージを送信機モジュール２１５−ａを介してサービングセルに送り得る。確立要因は、割り当てられたＡＣＢパラメータに関連し得る。例示的な確立要因としては、限定はしないが、通常優先度ＵＥのための直接発見のための接続を確立するためのＤ２Ｄ発見、通常優先度ＵＥのための直接通信のための接続を確立するためのＤ２Ｄ通信、高優先度ＵＥのための直接発見のための接続を確立するためのＤ２Ｄ−ｄｉｓｃｏｖｅｒｙｈｉｇｈｐｒｉｏ、および／または高優先度ＵＥのための直接通信のための接続を確立するためのＤ２Ｄ−ｃｏｍｍｕｎｉｃａｔｉｏｎｈｉｇｈｐｒｉｏがある。サービングセルは、したがって、現在の禁止動作ステータス、禁止条件、および確立要因に基づいて、Ｄ２Ｄ近接サービス通信のためにリソースをデバイス１１５−ｂに割り当て得る。
【００６０】
[0075]図４に、様々な例による、ワイヤレス通信において使用するためのシステム４００を示す。システム４００は、図１のＵＥ１１５の一例であり得るＵＥ１１５−ｃを含み得る。ＵＥ１１５−ｃはまた、図２および図３のデバイス１１５の１つまたは複数の態様の一例であり得る。
【００６１】
[0076]ＵＥ１１５−ｃは、概して、通信を送信するための構成要素と通信を受信するための構成要素とを含む、双方向音声およびデータ通信のための構成要素を含み得る。ＵＥ１１５−ｃは、（１つまたは複数の）アンテナ４４０と、トランシーバモジュール４３５と、プロセッサモジュール４０５と、（ソフトウェア（ＳＷ）４２０を含む）メモリ４１５とを含み得、それらはそれぞれ、（たとえば、１つまたは複数のバス４４５を介して）直接的または間接的に互いと通信し得る。トランシーバモジュール４３５は、上記で説明したように、（１つまたは複数の）アンテナ４４０および／あるいは１つまたは複数のワイヤードまたはワイヤレスリンクを介して、１つまたは複数のネットワークと双方向に通信し得る。たとえば、トランシーバモジュール４３５は、図１、図２、または図３を参照すると、基地局１０５、他のＵＥ１１５、および／またはデバイス１１５と双方向に通信し得る。トランシーバモジュール４３５は、パケットを変調し、変調されたパケットを送信のために（１つまたは複数の）アンテナ４４０に与え、（１つまたは複数の）アンテナ４４０から受信されたパケットを復調するための、モデムを含み得る。ＵＥ１１５−ｃは単一のアンテナ４４０を含み得るが、ＵＥ１１５−ｃは、複数のワイヤレス送信を同時に送信および／または受信することが可能な複数のアンテナ４４０を有し得る。トランシーバモジュール４３５は、複数のコンポーネントキャリアを介して１つまたは複数の基地局１０５と同時に通信することが可能であり得る。
【００６２】
[0077]ＵＥ１１５−ｃは、図２および図３のデバイス１１５のＡＣＢモジュール２１０について上記で説明した機能を実行し得るＡＣＢモジュール４１０を含み得る。ＵＥ１１５−ｃは、禁止ステータス（barring status）モジュール４５０をも含み得る。禁止ステータスモジュール４５０は、Ｄ２Ｄ近接サービス通信のためのＵＥ１１５−ｃのための禁止動作の態様を監視、制御、および／または場合によっては管理し得る。禁止ステータスモジュール４５０は、ＵＥ１１５−ｃのサービングセルについての禁止ステータスと、Ｄ２Ｄ近接サービス通信に関連するデバイス１１５−ｃのためのＡＣＢパラメータと、近接サービスプロトコルアプリケーションコードと、デバイス１１５−ｃについてのＲＲＣ接続モードとを決定し得る。禁止ステータスモジュール４５０は、Ｄ２Ｄ近接サービス通信のための利用可能なリソースを識別し、および／またはサービングセル、たとえば、基地局１０５−ａに要求し得る。リソースは、割り当てられたＡＣＢパラメータと禁止条件とに基づいて識別され得る。リソースは、たとえば、１つまたは複数の近接サービス機能のために、ＵＥ１１５−ｄとのＤ２Ｄ通信のために利用され得る。
【００６３】
[0078]いくつかの例では、禁止ステータスモジュール４５０は、ＵＥ１１５−ｃについての状態遷移を管理し得る。禁止動作中に、ＵＥ１１５−ｃは、禁止状態から禁止解除状態に遷移し、その逆も同様であり得る。禁止ステータスモジュール４５０は、遷移状態管理に関係する１つまたは複数のプロビジョンを上位レイヤを介して執行し、たとえば、禁止動作が、Ｄ２Ｄ近接サービス通信が禁止されたことを示すとき、データを送らないように上位レイヤプロトコルに命令し得る。禁止解除から禁止への遷移の場合、禁止ステータスモジュール４５０は、タイプ１発見動作の場合、場合によっては割り振られたリソースをＳＩＢ１メッセージが削除するとき、メディアアクセスコントローラ（ＭＡＣ）から無線リソース情報を削除し得る。これは、ＵＥ１１５−ｃがＲＲＣ接続モードにあるときに実行され得る。禁止ステータスモジュール４５０は、タイプ２発見動作の場合、ＲＲＣ接続モードにあるとき、無線リソース情報を削除し得る。これは、近接サービスプロトコルが、トリガ（たとえば、近接サービスが保留中であるという指示）を送ることを可能にし得、ＲＲＣプロトコルがトリガを拒否し得る。
【００６４】
[0079]禁止ステータスモジュール４５０は、モード１通信動作の場合、ＵＥ１１５−ｃがＲＲＣ接続モードにあり、禁止がアクティブであるとき、ＭＡＣプロトコルがバッファステータス報告を送るのを防ぐように、ＲＲＣプロトコルを制御する。モード２通信動作の場合、ＲＲＣプロトコルは、情報がサービングセルに送られるのを防ぐために、ＭＡＣプロトコルから無線リソースの指示を削除し得る。
【００６５】
[0080]メモリ４１５は、ランダムアクセスメモリ（ＲＡＭ）および読取り専用メモリ（ＲＯＭ）を含み得る。メモリ４１５は、実行されたとき、プロセッサモジュール４０５に、本明細書で説明する様々な機能を実行させる（たとえば、ＡＣＢパラメータを受信させる、Ｄ２Ｄ近接サービス通信のためのリソースの利用可能性を識別させる、発見動作および／または通信動作のための利用可能なリソースを要求させるなどの）命令を含んでいるコンピュータ可読、コンピュータ実行可能ソフトウェア／ファームウェアコード４２０を記憶し得る。代替的に、コンピュータ可読、コンピュータ実行可能ソフトウェア／ファームウェアコード４２０は、プロセッサモジュール４０５によって直接的に実行可能でないことがあるが、（たとえば、コンパイルされ、実行されたとき）コンピュータに本明細書で説明する機能を実行させ得る。プロセッサモジュール４０５は、インテリジェントハードウェアデバイス、たとえば、中央処理ユニット（ＣＰＵ）、マイクロコントローラ、特定用途向け集積回路（ＡＳＩＣ）などを含み得る。
【００６６】
[0081]図５に、本開示の様々な態様による、ワイヤレス通信において使用するための装置１０５−ｂのブロック図５００を示す。いくつかの例では、装置１０５は、図１、図２、図３、または図４を参照しながら説明した基地局１０５のうちの１つまたは複数の態様の一例であり得る。いくつかの例では、装置１０５−ｂは、ＬＴＥ／ＬＴＥ−Ａ  ｅＮＢおよび／またはＬＴＥ／ＬＴＥ−Ａ基地局一部であるか、またはそれを含み得る。装置１０５−ｂはまた、プロセッサであり得る。装置１０５−ｂは、受信機モジュール５０５、禁止管理モジュール５１０、および／または送信機モジュール５１５を含み得る。これらのモジュールの各々は互いと通信していることがある。
【００６７】
[0082]装置１０５−ｂの構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００６８】
[0083]いくつかの例では、受信機モジュール５０５は、Ｄ２Ｄ近接サービス通信のための禁止動作などに関連するサービングセルから、Ｄ２Ｄ近接サービス通信関係の発見信号および／または通信信号を受信するように動作可能な無線周波数（ＲＦ）受信機など、少なくとも１つのＲＦ受信機を含み得る。受信機モジュール５０５は、図１を参照しながら説明したワイヤレス通信システム１００の１つまたは複数の通信リンクなど、ワイヤレス通信システムの１つまたは複数の通信リンクを介して様々なタイプのデータおよび／または制御信号（すなわち、送信）を受信するために使用され得る。
【００６９】
[0084]いくつかの例では、送信機モジュール５１５は、Ｄ２Ｄ近接サービス通信のためのリソース要求および禁止動作などに関連するサービングセルに、Ｄ２Ｄ近接サービス通信関係の発見信号および／または通信信号を送信するように動作可能な少なくとも１つのＲＦ送信機など、少なくとも１つのＲＦ送信機を含み得る。送信機モジュール５１５は、図１を参照しながら説明したワイヤレス通信システム１００の１つまたは複数の通信リンクなど、ワイヤレス通信システムの１つまたは複数の通信リンクを介して様々なタイプのデータおよび／または制御信号（すなわち、送信）を送信するために使用され得る。
【００７０】
[0085]いくつかの例では、禁止管理モジュール５１０は、Ｄ２Ｄ近接サービス通信に参加しているＵＥのための禁止動作のための１つまたは複数の機能を管理し得る。禁止管理モジュール５１０は、Ｄ２Ｄ近接サービス通信に適用される装置１０５−ｂのカバレージエリア内のＵＥのためのＡＣＢパラメータを決定し得る。たとえば、禁止管理モジュール５１０は、通常優先度ＵＥのための直接発見動作のための、通常優先度ＵＥのための直接通信動作のための、高優先度ＵＥのための直接発見動作のための、および／または高優先度ＵＥのための直接通信動作のためのＡＣＢパラメータを決定し得る。禁止管理モジュール５１０は、たとえば、ＳＩＢ２メッセージを介してそれのカバレージエリア内のＵＥにＡＣＢパラメータを通信し得る。
【００７１】
[0086]いくつかの例では、禁止管理モジュール５１０は、禁止動作、たとえば、アクティブ禁止動作に関連する情報を通信し得る。禁止管理モジュール５１０は、禁止がアクティブであるかどうかを決定し、アクティブである場合、どんな禁止条件、たとえば、緊急事態、公益事業、セキュリティサービス、ネットワーク輻輳および保守などが禁止動作に関連するかを決定し得る。禁止動作がアクティブにされたとき、禁止管理モジュール５１０は、禁止がアクティブであることと、関連する禁止条件とを示す１つまたは複数の信号をそれのカバレージエリア内のＵＥに送り得る。
【００７２】
[0087]いくつかの例では、禁止管理モジュール５１０は、リソース管理に関係する１つまたは複数の態様を管理し得る。たとえば、禁止管理モジュール５１０は、Ｄ２Ｄ近接サービス通信のためのタイプ１発見リソースおよび／またはタイプ２発見リソースならびにモード１通信リソースおよび／またはモード２通信リソースを割り振り得る。禁止管理モジュール５１０は、ＵＥからリソースについての要求を受信し、要求されたリソースと、ＵＥに割り当てられたＡＣＢパラメータと、現在の禁止動作ステータス／禁止条件とに応じて、要求されたリソースを割り振り得る。いくつかの例では、禁止管理モジュール５１０は、禁止動作が割振りを防ぐとき、ＳＩＢ１７メッセージから利用可能なリソースのプール中の無線リソースに関連する情報を削除し得る。
【００７３】
[0088]図６に、本開示の様々な態様による、ワイヤレス通信において使用するための装置１０５−ｃのブロック図６００を示す。いくつかの例では、装置１０５−ｃは、図１、図２、図３、または図４を参照しながら説明した基地局１０５のうちの１つまたは複数の態様の一例、および／あるいは、図５を参照しながら説明した装置１０５−ｂの態様の一例であり得る。いくつかの例では、装置１０５−ｃは、ＬＴＥ／ＬＴＥ−Ａ  ｅＮＢおよび／またはＬＴＥ／ＬＴＥ−Ａ基地局の一部であるか、またはそれを含み得る。装置１０５−ｃはまた、プロセッサであり得る。装置１０５−ｂは、受信機モジュール５０５−ａ、禁止管理モジュール５１０−ａ、および／または送信機モジュール５１５−ａを含み得る。これらのモジュールの各々は互いと通信していることがある。禁止管理モジュール５１０−ａは、ＡＣＢ制御モジュール６０５と、リソース管理モジュール６１０とを含み得る。受信機モジュール５０５−ａおよび送信機モジュール５１５−ａは、それぞれ、図５の受信機モジュール５０５および送信機モジュール５１５の機能を実行し得る。
【００７４】
[0089]装置１０５−ｃの構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００７５】
[0090]いくつかの例では、ＡＣＢ制御モジュール６０５は、Ｄ２Ｄ近接サービス通信のためのアクセスクラス禁止動作のための様々な機能を管理し得る。ＡＣＢ制御モジュール６０５は、Ｄ２Ｄ近接サービス通信のための装置１０５−ｃのカバレージエリア内のＵＥのためのＡＣＢパラメータ、たとえば、通常優先度ＵＥのための直接発見および／または通信動作のためのＡＣＢパラメータ、ならびに高優先度ＵＥのための直接発見／通信動作のためのＡＣＢパラメータを決定し得る。ＡＣＢ制御モジュール６０５は、送信機モジュール５１５−ａと協働して、たとえば、ＳＩＢ２メッセージを介してそれのカバレージエリア内のＵＥにＡＣＢパラメータを通信し得る。ＡＣＢ制御モジュール６０５はまた、禁止がアクティブであるかどうかを決定し、アクティブである場合、どんな禁止条件が禁止動作に関連するかを決定し得る。禁止動作がアクティブにされたとき、ＡＣＢ制御モジュール６０５は、禁止がアクティブであることと、関連する禁止条件とを示す１つまたは複数の信号を、送信機モジュール５１５−ａを介してそれのカバレージエリア内のＵＥに送り得る。
【００７６】
[0091]いくつかの例では、リソース管理モジュール６１０は、リソース管理に関係する１つまたは複数の態様を管理し得る。たとえば、リソース管理モジュール６１０は、ＵＥからのリソースについての要求に応答して、Ｄ２Ｄ近接サービス通信のための発見リソースおよび／または通信リソースを割り振り得る。リソース管理モジュール６１０は、要求されたリソースと、ＵＥに割り当てられたＡＣＢパラメータと、現在の禁止動作ステータス／禁止条件とに応じて、要求されたリソースを割り振り得る。いくつかの例では、リソース管理モジュール６１０は、利用可能なリソースのプール中の無線リソースに関連する情報を削除し得る。たとえば、リソース管理モジュール６１０は、（たとえば、ＳＩＢ１７メッセージ中で）ＵＥに通信される発見リソースおよび／または通信リソースの非ＵＥ固有プールに関連する情報を削除し得る。リソース管理モジュール６１０は、禁止動作がアクティブであることと禁止条件がリソースのプールがＵＥに割振り可能でないことを示すこととに応答して、情報を削除し得る。
【００７７】
[0092]図７に、本開示の様々な態様による、ワイヤレス通信において使用するための基地局１０５−ｄ（たとえば、ｅＮＢの一部または全部を形成する基地局）のブロック図７００を示す。いくつかの例では、基地局１０５−ｄは、図１、図２、図３、または図４を参照しながら説明した基地局１０５のうちの１つまたは複数の態様、ならびに／あるいは、図５および／または図６を参照しながら説明した、基地局として構成されたときの装置１０５のうちの１つまたは複数の態様の一例であり得る。基地局１０５−ｄは、図１、図２、図３、図４、図５、または図６を参照しながら説明した基地局および／または装置の特徴および機能のうちの少なくともいくつかを実装するかまたは可能にし得る。
【００７８】
[0093]基地局１０５−ｄは、基地局プロセッサモジュール７７０、基地局メモリモジュール７８０、（（１つまたは複数の）基地局トランシーバモジュール７５０によって表される）少なくとも１つの基地局トランシーバモジュール、（（１つまたは複数の）基地局アンテナ７４５によって表される）少なくとも１つの基地局アンテナ、および／または禁止管理モジュール７１０を含み得る。基地局１０５−ｄはまた、基地局通信モジュール７６５および／またはネットワーク通信モジュール７７５のうちの１つまたは複数を含み得る。これらのモジュールの各々は、１つまたは複数のバス７９０を介して直接的または間接的に互いと通信していることがある。
【００７９】
[0094]基地局メモリモジュール７８０は、ランダムアクセスメモリ（ＲＡＭ）および／または読取り専用メモリ（ＲＯＭ）を含み得る。基地局メモリモジュール７８０は、実行されたとき、基地局プロセッサモジュール７７０に、ワイヤレス通信に関係する本明細書で説明する様々な機能を実行させる（たとえば、Ｄ２Ｄ近接サービス通信のためのＡＣＢパラメータ、現在の禁止動作に基づくＤ２Ｄ近接サービス通信のためのリソース割振りなどを決定させる）命令を含んでいるコンピュータ可読、コンピュータ実行可能ソフトウェア／ファームウェアコード７８５を記憶し得る。代替的に、コンピュータ可読、コンピュータ実行可能ソフトウェア／ファームウェアコード７８５は、基地局プロセッサモジュール７７０によって直接的に実行可能でないことがあるが、（たとえば、コンパイルされ、実行されたとき）本明細書で説明する機能のうちのいくつかを基地局１０５−ｄに実行させ得る。
【００８０】
[0095]基地局プロセッサモジュール７７０は、インテリジェントハードウェアデバイス、たとえば、中央処理ユニット（ＣＰＵ）、マイクロコントローラ、ＡＳＩＣなどを含み得る。基地局プロセッサモジュール７７０は、（１つまたは複数の）基地局トランシーバモジュール７５０、基地局通信モジュール７６５、および／またはネットワーク通信モジュール７７５を通して受信された情報を処理し得る。基地局プロセッサモジュール７７０はまた、（１つまたは複数の）アンテナ７４５を通した送信のために（１つまたは複数の）トランシーバモジュール７５０に送られるべき情報、１つまたは複数の他の基地局７０５−ｍおよび７０５−ｎへの送信のために基地局通信モジュール７６５に送られるべき情報、ならびに／または図１を参照しながら説明したコアネットワーク１３０の１つまたは複数の態様の一例であり得る、コアネットワーク７３０への送信のためにネットワーク通信モジュール７７５に送られるべき情報を処理し得る。基地局プロセッサモジュール７７０は、単独でまたは禁止管理モジュール７１０とともに、Ｄ２Ｄ近接サービス通信動作に参加しているＵＥのためのアクセスクラス禁止動作の様々な態様を扱い得る。
【００８１】
[0096]（１つまたは複数の）基地局トランシーバモジュール７５０は、パケットを変調し、変調されたパケットを送信のために（１つまたは複数の）基地局アンテナ７４５に与え、（１つまたは複数の）基地局アンテナ７４５から受信されたパケットを復調するためのモデムを含み得る。（１つまたは複数の）基地局トランシーバモジュール７５０は、いくつかの例では、１つまたは複数の基地局送信機モジュールおよび１つまたは複数の別個の基地局受信機モジュールとして実装され得る。（１つまたは複数の）基地局トランシーバモジュール７５０は、第１の無線周波数スペクトル帯域および／または第２の無線周波数スペクトル帯域における通信をサポートし得る。（１つまたは複数の）基地局トランシーバモジュール７５０は、（１つまたは複数の）アンテナ７４５を介して、図１、図２、図３、図４、図５、または図６を参照しながら説明したＵＥ１１５のうちの１つまたは複数など、１つまたは複数のＵＥまたは装置と双方向に通信するように構成され得る。基地局１０５−ｄは、たとえば、複数の基地局アンテナ７４５（たとえば、アンテナアレイ）を含み得る。基地局１０５−ｄは、ネットワーク通信モジュール７７５を通してコアネットワーク１３０−ａと通信し得る。基地局１０５−ｄはまた、基地局通信モジュール７６５を使用して、基地局７０５−ｍおよび７０５−ｎなどの他の基地局と通信し得る。
【００８２】
[0097]禁止管理モジュール７１０は、禁止動作に関係する図５または図６を参照しながら説明した特徴および／または機能の一部または全部、たとえば、ＡＣＢパラメータ決定および／またはリソース制御を実行および／または制御し得る。禁止管理モジュール７１０は、禁止管理モジュール７９５の特徴および／または機能の一部または全部を実行するＡＣＢステータス管理モジュール７９５を含み得る。いくつかの例では、ＡＣＢステータス管理モジュール７９５は、基地局１０５−ｄのカバレージエリア内のＵＥにＡＣＢパラメータを与え、Ｄ２Ｄ近接サービス通信のための発見動作および／または通信動作のための（１つまたは複数の）リソースを割り振り得る。禁止管理モジュール７１０、またはモジュール７１０の部分はプロセッサを含み得、ならびに／あるいは、禁止管理モジュール７１０の機能の一部または全部は、基地局プロセッサモジュール７７０によって、および／または基地局プロセッサモジュール７７０とともに実行され得る。いくつかの例では、禁止管理モジュール７１０は、図５および／または図６を参照しながら説明した禁止管理モジュール５１０および／または５１０−ａの一例であり得る。
【００８３】
[0098]図８は、本開示の様々な態様による、Ｄ２Ｄ近接サービス通信の態様を示すスイム図８００である。図８００に、それぞれ、図１、図４、または図７を参照しながら説明したシステム１００、４００、および／または７００の態様を示し得る。図８００は、ＵＥ８０５とサービングセル８１０とを含む。ＵＥ８０５は、図１、図２、図３、および／または図４に関して上記で説明したＵＥ１１５および／またはデバイス１１５のうちの１つまたは複数の一例であり得る。サービングセル８１０は、図１、図５、図６、および／または図７に関して上記で説明した基地局１０５および／または装置１０５のうちの１つまたは複数の一例であり得る。いくつかの例では、サービングセル８１０は、ＵＥ８０５のサービングセルであり得る。概して、図８００に、Ｄ２Ｄ近接サービス通信のためのアクセスクラス禁止動作を実装することの態様を示す。いくつかの例では、ＵＥ１１５および／または基地局１０５のうちの１つなど、システムデバイスが、以下で説明する機能の一部または全部を実行するようにデバイスの機能要素を制御するためのコードの１つまたは複数のセットを実行し得る。
【００８４】
[0099]ブロック８１５において、サービングセル８１０は、Ｄ２Ｄ近接サービス通信のための、それのカバレージエリア内のＵＥ、たとえば、ＵＥ８０５のためのＡＣＢパラメータを決定し得る。ＡＣＢパラメータは、通常優先度ＵＥおよび高優先度ＵＥのための発見動作および／または通信動作に関連し得る。ＡＣＢパラメータは、禁止動作がアクティブであり、ＵＥがサービングセル８１０のいくつかのリソースを要求するとき、そのようなリソースへのアクセスのために与えられ得る。ブロック８２０において、サービングセル８１０は、ＡＣＢパラメータをＵＥ８０５に送信するか、通信するか、または場合によっては伝達する。サービングセル８１０は、ＳＩＢ、たとえば、タイプ２ＳＩＢを介してＵＥ８０５にＡＣＢパラメータを送り得る。
【００８５】
[0100]ブロック８２５において、ＵＥ８０５は、サービングセル８１０からのメッセージを処理し、Ｄ２Ｄ近接サービス通信のためのリソースの利用可能性を識別し得る。一例として、サービングセル８１０は、通常優先度ＵＥのための発見動作および通信動作のためのＡＣＢパラメータをＵＥ８０５に割り当て得る。したがって、禁止が、通常優先度ＵＥのための発見動作のためにアクティブであるとき、ＵＥ８０５は、リソースが利用可能でないと決定し、したがって、リソースを要求するためのステップを行うことを控え、たとえば、ＢＳＲを送ることを控え得る。
【００８６】
[0101]図９は、本開示の様々な態様による、Ｄ２Ｄ近接サービス通信の態様を示すスイム図９００である。図９００に、それぞれ、図１、図４、または図７を参照しながら説明したシステム１００、４００、および／または７００の態様を示し得る。図９００は、ＵＥ９０５とサービングセル９１０とを含む。ＵＥ９０５は、図１、図２、図３、および／または図４に関して上記で説明したＵＥ１１５および／またはデバイス１１５のうちの１つまたは複数の一例であり得る。サービングセル９１０は、図１、図５、図６、および／または図７に関して上記で説明した基地局１０５および／または装置１０５のうちの１つまたは複数の一例であり得る。いくつかの例では、サービングセル９１０は、ＵＥ９０５のサービングセルであり得る。概して、図９００に、Ｄ２Ｄ近接サービス通信のためのアクセスクラス禁止動作を実装することの態様を示す。いくつかの例では、ＵＥ１１５および／または基地局１０５のうちの１つなど、システムデバイスが、以下で説明する機能の一部または全部を実行するようにデバイスの機能要素を制御するためのコードの１つまたは複数のセットを実行し得る。
【００８７】
[0102]ブロック９１５において、サービングセル９１０は、Ｄ２Ｄ近接サービス通信のための、それのカバレージエリア内のＵＥ、たとえば、ＵＥ９０５のためのＡＣＢパラメータを決定し得る。ＡＣＢパラメータは、通常優先度ＵＥおよび高優先度ＵＥのための発見動作および／または通信動作に関連し得る。ブロック９２０において、サービングセル９１０は、たとえば、ＳＩＢ２メッセージ中でＵＥ９０５にＡＣＢパラメータを送り得る。
【００８８】
[0103]ブロック９２５において、ＵＥ９０５は、メッセージを処理し、Ｄ２Ｄ近接サービス通信のためのリソースの利用可能性を識別し得る。一例として、サービングセル９１０は、高優先度ＵＥのための発見動作および通信動作のためのＡＣＢパラメータをＵＥ９０５に割り当て得る。したがって、禁止が、通常優先度ＵＥのための発見動作のためにアクティブである（ただし、高優先度ＵＥのための発見動作のためにアクティブでない）とき、ＵＥ９０５は、リソースが利用可能であることを識別し得る。ブロック９３０において、ＵＥ９０５は、識別された利用可能なリソースを要求するための確立要因を決定し得る。確立要因は、割り当てられたＡＣＢパラメータに対応し、たとえば、確立要因は、高優先度ＵＥのためのリソース発見動作を要求し得る。ブロック９３５において、ＵＥ９０５は、ＲＲＣ接続要求メッセージをサービングセル９１０に送る。ＲＲＣ接続要求メッセージは、確立要因を含み、ＵＥ９０５が現在の禁止条件の下で利用可能なリソースを要求していることをサービングセル９１０に通知する。したがって、サービングセル９１０は、Ｄ２Ｄ近接サービス通信のためにリソースをＵＥ９０５に割り振り得る。
【００８９】
[0104]図１０は、本開示の様々な態様による、Ｄ２Ｄ近接サービス通信の態様を示すスイム図１０００である。図１０００に、それぞれ、図１、図４、または図７を参照しながら説明したシステム１００、４００、および／または７００の態様を示し得る。図１０００は、ＵＥ１００５とサービングセル１０１０とを含む。ＵＥ１００５は、図１、図２、図３、および／または図４に関して上記で説明したＵＥ１１５および／またはデバイス１１５のうちの１つまたは複数の一例であり得る。サービングセル１０１０は、図１、図５、図６、および／または図７に関して上記で説明した基地局１０５および／または装置１０５のうちの１つまたは複数の一例であり得る。いくつかの例では、サービングセル１０１０は、ＵＥ１００５のサービングセルであり得る。概して、図１０００に、ＵＥ１００５の様々なプロトコルを用いたＤ２Ｄ近接サービス通信のためのアクセスクラス禁止動作を実装することの態様を示す。いくつかの例では、ＵＥ１１５および／または基地局１０５のうちの１つなど、システムデバイスが、以下で説明する機能の一部または全部を実行するようにデバイスの機能要素を制御するためのコードの１つまたは複数のセットを実行し得る。
【００９０】
[0105]ＵＥ１００５は、近接サービスプロトコル１０１５と、非アクセス層（ＮＡＳ）１０２０と、無線リソース制御（ＲＲＣ）１０２５と、メディアアクセス制御（ＭＡＣ）１０３０とを含み得る。これらの構成要素の各々は、ＵＥ１００５上で動作する１つまたは複数のプロトコル、レイヤ、および／または機能を表し得る。いくつかの例では、構成要素は、以下で説明する機能を実行するためのコードまたは命令を実行するＵＥ１００５のプロセッサモジュール（たとえば、プロセッサモジュール４０５）によって実装され得る。
【００９１】
[0106]ブロック１０３５において、サービングセル１０１０は、サービングセル１０１０の禁止動作がアクティブであることを示すＳＩＢ２メッセージをＵＥ１００５（たとえば、ＲＲＣ１０２５）に送り得る。上記で説明した機能に従って、ＵＥ１００５は、それの割り当てられたＡＣＢパラメータと禁止条件とに応じて、禁止動作がアクティブであるときにリソースにアクセスするＵＥ１００５の能力を示す、ＡＣＢパラメータを割り当てられていることがある。ＳＩＢ２メッセージは、図１０に示されているように、ＵＥ１００５がリソースにアクセスすることを禁止されたことを示し得る。したがって、ブロック１０４０において、ＲＲＣ１０２５は、ＳＩＢ２メッセージを処理し、ＵＥ１００５が１つまたは複数のリソースにアクセスすることを禁止されたと決定し得る。ブロック１０４５において、ＲＲＣ１０２５は、禁止条件に従ってＤ２Ｄ近接サービス通信についていくつかのリソースが禁止されたことを示す情報を含む信号を近接サービスプロトコル１０１５に送り得る。その結果、ＲＲＣ１０２５は、禁止指示（barred indication）を近接サービスプロトコル１０１５に直接的に通知し得る。ＵＥ１００５がＲＲＣ接続モードにあるいくつかの例では、ＲＲＣ１０２５は、タイプ２直接発見リソースのためのサービス要求拒否メッセージを近接サービス１０１５に直接的に送り得る。
【００９２】
[0107]いくつかの例では、図１０に示されているＵＥ１００５の機能は、ＵＥ１００５がＲＲＣ接続モードまたはＲＲＣアイドルモードにある間に実行され得、関係するリソースは、タイプ１直接発見リソースのためのものであり得る。いくつかの例では、図１０に示されているＵＥ１００５の機能は、ＵＥ１００５がＲＲＣ接続モードにある間に実行され得、関係するリソースは、タイプ２直接発見リソースのためのものであり得る。いくつかの例では、図１０に示されているＵＥ１００５の機能は、ＵＥ１００５がＲＲＣ接続モードまたはＲＲＣアイドルモードにある間に実行され得、関係するリソースは、モード２直接通信リソースのためのものであり得る。
【００９３】
[0108]図１１は、本開示の様々な態様による、Ｄ２Ｄ近接サービス通信の態様を示すスイム図１１００である。図１１００に、それぞれ、図１、図４、または図７を参照しながら説明したシステム１００、４００、および／または７００の態様を示し得る。図１１００は、ＵＥ１１０５とサービングセル１１１０とを含む。ＵＥ１１０５は、図１、図２、図３、および／または図４に関して上記で説明したＵＥ１１５および／またはデバイス１１５のうちの１つまたは複数の一例であり得る。サービングセル１１１０は、図１、図５、図６、および／または図７に関して上記で説明した基地局１０５および／または装置１０５のうちの１つまたは複数の一例であり得る。いくつかの例では、サービングセル１１１０は、ＵＥ１１０５のサービングセルであり得る。概して、図１１００に、ＵＥ１１０５の様々なプロトコルを用いたＤ２Ｄ近接サービス通信のためのアクセスクラス禁止動作を実装することの態様を示す。いくつかの例では、ＵＥ１１５および／または基地局１０５のうちの１つなど、システムデバイスが、以下で説明する機能の一部または全部を実行するようにデバイスの機能要素を制御するためのコードの１つまたは複数のセットを実行し得る。
【００９４】
[0109]ＵＥ１１０５は、近接サービスプロトコル１１１５と、非アクセス層（ＮＡＳ）１１２０と、無線リソース制御（ＲＲＣ）１１２５と、メディアアクセス制御（ＭＡＣ）１１３０とを含み得る。これらの構成要素の各々は、ＵＥ１１０５上で動作する１つまたは複数のプロトコル、レイヤ、および／または機能を表し得る。いくつかの例では、構成要素は、以下で説明する機能を実行するためのコードまたは命令を実行するＵＥ１１０５のプロセッサモジュール（たとえば、プロセッサモジュール４０５）によって実装され得る。
【００９５】
[0110]ブロック１１３５において、サービングセル１１１０は、サービングセル１１１０の禁止動作がアクティブであることを示すＳＩＢ２メッセージをＵＥ１１０５（たとえば、ＲＲＣ１１２５）に送り得る。上記で説明した機能に従って、ＵＥ１１０５は、それの割り当てられたＡＣＢパラメータと禁止条件とに応じて、禁止動作がアクティブであるときにリソースにアクセスするＵＥ１１０５の能力を示す、ＡＣＢパラメータを割り当てられていることがある。ＳＩＢ２メッセージは、図１１に示されているように、ＵＥ１１０５がリソースにアクセスすることを禁止されたことを示し得る。したがって、ブロック１１４０において、ＲＲＣ１１２５は、ＳＩＢ２メッセージを処理し、ＵＥ１１０５が１つまたは複数のリソースにアクセスすることを禁止されたと決定し得る。
【００９６】
[0111]ブロック１１４５において、近接サービスプロトコル１１１５は、近接サービス通信が必要とされ得ると決定し、ＲＲＣ１１２５にフォワーディングされるべきサービス要求メッセージをＮＡＳ１１２０に送り得る。サービス要求は、近接サービスのためのアプリケーションコードを含み得、ＲＲＣ１１２５に適切なリソースを使用して接続を確立するように要求するために使用され得る。ブロック１１５５において、ＲＲＣは、近接サービスプロトコル１１１５にフォワーディングされるべきサービス要求拒否メッセージをＮＡＳ１１２０に送り得る。サービス要求拒否メッセージは、ＵＥ１１０５での禁止動作を実装し、近接サービスプロトコル１１１５が禁止リソースを要求することまたはそれにアクセスすることを防ぎ得る。サービス要求拒否メッセージは、禁止条件に従ってＤ２Ｄ近接サービス通信についていくつかのリソースが禁止されたことを示す情報を含み得る。したがって、ＲＲＣ１１２５は、ＮＡＳ１１２０を介したサービス要求拒否メッセージを介して近接サービスプロトコル１１１５に禁止指示を通知し得る。
【００９７】
[0112]いくつかの例では、図１１に示されているＵＥ１１０５の機能は、ＵＥ１１０５がＲＲＣアイドルモードにある間に実行され得、関係するリソースは、タイプ２直接発見リソースのためのものであり得る。いくつかの例では、図１１に示されているＵＥ１１０５の機能は、ＵＥ１１０５がＲＲＣ接続モードまたはＲＲＣアイドルモードにある間に実行され得、関係するリソースは、モード１直接通信リソースのためのものであり得る。
【００９８】
[0113]図１２は、本開示の様々な態様による、Ｄ２Ｄ近接サービス通信の態様を示すスイム図１２００である。図１２００に、それぞれ、図１、図４、または図７を参照しながら説明したシステム１００、４００、および／または７００の態様を示し得る。図１２００は、ＵＥ１２０５とサービングセル１２１０とを含む。ＵＥ１２０５は、図１、図２、図３、および／または図４に関して上記で説明したＵＥ１１５および／またはデバイス１１５のうちの１つまたは複数の一例であり得る。サービングセル１２１０は、図１、図５、図６、および／または図７に関して上記で説明した基地局１０５および／または装置１０５のうちの１つまたは複数の一例であり得る。いくつかの例では、サービングセル１２１０は、ＵＥ１２０５のサービングセルであり得る。概して、図１２００に、ＵＥ１２０５の様々なプロトコルを用いたＤ２Ｄ近接サービス通信のためのアクセスクラス禁止動作を実装することの態様を示す。いくつかの例では、ＵＥ１１５および／または基地局１０５のうちの１つなど、システムデバイスが、以下で説明する機能の一部または全部を実行するようにデバイスの機能要素を制御するためのコードの１つまたは複数のセットを実行し得る。
【００９９】
[0114]ＵＥ１２０５は、近接サービスプロトコル１２１５と、非アクセス層（ＮＡＳ）１２２０と、無線リソース制御（ＲＲＣ）１２２５と、メディアアクセス制御（ＭＡＣ）１２３０とを含み得る。これらの構成要素の各々は、ＵＥ１２０５上で動作する１つまたは複数のプロトコル、レイヤ、および／または機能を表し得る。いくつかの例では、構成要素は、以下で説明する機能を実行するためのコードまたは命令を実行するＵＥ１２０５のプロセッサモジュール（たとえば、プロセッサモジュール４０５）によって実装され得る。
【０１００】
[0115]ブロック１２３５において、サービングセル１２１０は、サービングセル１２１０の禁止動作がアクティブであることを示すＳＩＢ２メッセージをＵＥ１２０５（たとえば、ＲＲＣ１２２５）に送り得る。上記で説明した機能に従って、ＵＥ１２０５は、それの割り当てられたＡＣＢパラメータと禁止条件とに応じて、禁止動作がアクティブであるときにリソースにアクセスするＵＥ１２０５の能力を示す、ＡＣＢパラメータを割り当てられていることがある。ＳＩＢ２メッセージは、図１２に示されているように、ＵＥ１２０５がリソースにアクセスすることを禁止されたことを示し得る。したがって、ブロック１２４０において、ＲＲＣ１２２５は、ＳＩＢ２メッセージを処理し、ＵＥ１２０５が１つまたは複数のリソースにアクセスすることを禁止されたと決定し得る。ブロック１２４５において、ＲＲＣ１２２５は、禁止条件に従って、Ｄ２Ｄ近接サービス通信のためのリソースのための無線リソースに関連する情報を削除する信号をＭＡＣ１２３０に送り得る。たとえば、サービングセル１２１０は、リソースのプールのための無線リソースに関連する情報をＳＩＢ１７メッセージ中で与え得る。ＲＲＣ１２２５は、ＳＩＢ１７メッセージを処理し、ＵＥ１２０５のための禁止ステータスを実装するために無線リソースに関連する情報を削除し得る。したがって、ＵＥ１２０５は、禁止動作がアクティブであり、ＵＥ１２０５が禁止された場合、ＳＩＢ１７メッセージを処理することを効果的に控え得る。いくつかの例では、図１２に示されているＵＥ１２０５の機能は、ＵＥ１００５がＲＲＣ接続モードまたはＲＲＣアイドルモードにある間に実行され得、関係するリソースは、タイプ１直接発見リソースおよびモード２通信リソースのためのものであり得る。
【０１０１】
[0116]図１３は、本開示の様々な態様による、Ｄ２Ｄ近接サービス通信の態様を示すスイム図１３００である。図１３００に、それぞれ、図１、図４、または図７を参照しながら説明したシステム１００、４００、および／または７００の態様を示し得る。図１３００は、ＵＥ１３０５とサービングセル１３１０とを含む。ＵＥ１３０５は、図１、図２、図３、および／または図４に関して上記で説明したＵＥ１１５および／またはデバイス１１５のうちの１つまたは複数の一例であり得る。サービングセル１３１０は、図１、図５、図６、および／または図７に関して上記で説明した基地局１０５および／または装置１０５のうちの１つまたは複数の一例であり得る。いくつかの例では、サービングセル１３１０は、ＵＥ１２０５のサービングセルであり得る。概して、図１３００に、サービングセル１３１０によるＤ２Ｄ近接サービス通信のためのアクセスクラス禁止動作を実装することの態様を示す。いくつかの例では、ＵＥ１１５および／または基地局１０５のうちの１つなど、システムデバイスが、以下で説明する機能の一部または全部を実行するようにデバイスの機能要素を制御するためのコードの１つまたは複数のセットを実行し得る。
【０１０２】
[0117]ＵＥ１３０５は、近接サービスプロトコル１３１５と、非アクセス層（ＮＡＳ）１３２０と、無線リソース制御（ＲＲＣ）１３２５と、メディアアクセス制御（ＭＡＣ）１３３０とを含み得る。これらの構成要素の各々は、ＵＥ１３０５上で動作する１つまたは複数のプロトコル、レイヤ、および／または機能を表し得る。いくつかの例では、構成要素は、以下で説明する機能を実行するためのコードまたは命令を実行するＵＥ１３０５のプロセッサモジュール（たとえば、プロセッサモジュール４０５）によって実装され得る。
【０１０３】
[0118]ブロック１３３５において、サービングセル１３１０は、サービングセル１３１０の禁止動作がアクティブであることを示すＳＩＢ２メッセージをＵＥ１３０５（たとえば、ＲＲＣ１３２５）に送り得る。上記で説明した機能に従って、ＵＥ１３０５は、それの割り当てられたＡＣＢパラメータと禁止条件とに応じて、禁止動作がアクティブであるときにリソースにアクセスするＵＥ１３０５の能力を示す、ＡＣＢパラメータを割り当てられていることがある。ＳＩＢ２メッセージは、図１３に示されているように、ＵＥ１３０５がリソースにアクセスすることを禁止されたことを示し得る。したがって、ブロック１３４０において、ＲＲＣ１３２５は、ＳＩＢ２メッセージを処理し、ＵＥ１３０５が１つまたは複数のリソースにアクセスすることを禁止されたと決定し得る。サービングセル１３１０は、ＳＩＢ２メッセージに基づいて、ＵＥ１３０５がＤ２Ｄ近接サービス通信のためのリソースにアクセスすることを禁止されたことを知り得る。したがって、ブロック１３４５において、サービングセル１３１０は、ＳＩＢ１７メッセージからリソースのプールのための無線リソースに関連する情報を削除し、ブロック１３５０において、ＳＩＢ１７メッセージをＵＥ１３０５に送り得る。したがって、ＵＥ１３０５は、リソースのプールからのリソースにアクセスしないことがある。
【０１０４】
[0119]図１４は、本開示の様々な態様による、ワイヤレス通信のための方法１４００の一例を示すフローチャートである。明確にするために、方法１４００について、図１、図８、図９、図１０、図１１、図１２、または図１３を参照しながら説明したＵＥのうちの１つまたは複数の態様、および／あるいは図２、図３、または図４を参照しながら説明したデバイスのうちの１つまたは複数の態様を参照しながら以下で説明する。いくつかの例では、ＵＥは、以下で説明する機能を実行するようにＵＥの機能要素を制御するためのコードの１つまたは複数のセットを実行し得る。追加または代替として、ＵＥは、専用ハードウェアを使用して、以下で説明する機能のうちの１つまたは複数を実行し得る。
【０１０５】
[0120]ブロック１４０５において、方法１４００は、ＵＥがサービングセルからメッセージを受信することを含み得る。メッセージは、Ｄ２Ｄ近接サービス通信のためのＡＣＢパラメータを示す情報を含み得る。ＡＣＢパラメータは、通常優先度ＵＥおよび高優先度ＵＥのための発見動作または通信動作に関連し得る。ブロック１４１０において、ＵＥは、ＡＣＢパラメータに少なくとも部分的に基づいて、Ｄ２Ｄ近接サービス通信のためのリソース利用可能性を識別する。たとえば、ＵＥは、割り当てられたＡＣＢパラメータと、禁止動作がアクティブであることと、Ｄ２Ｄ近接サービス通信のために必要とされるリソースのタイプと、禁止動作を保証した禁止条件とに基づいて、リソース利用可能性を識別し得る。
【０１０６】
[0121]ブロック１４０５および１４１０における（１つまたは複数の）動作は、図２、図３、または図４を参照しながら説明したＡＣＢモジュール２０５／４１０を使用して実行され得る。
【０１０７】
[0122]したがって、方法１４００はワイヤレス通信を提供し得る。方法１４００は一実装形態にすぎないこと、および方法１４００の動作は、他の実装形態が可能であるように、並べ替えられるかまたは場合によっては変更され得ることに留意されたい。
【０１０８】
[0123]図１５は、本開示の様々な態様による、ワイヤレス通信のための方法１５００の一例を示すフローチャートである。明快のために、方法１５００について、図１、図６、図７、図８、図９、図１０、図１１、図１２、または図１３を参照しながら説明した基地局、装置、および／またはサービングセルのうちの１つまたは複数の態様を参照しながら以下で説明する。いくつかの例では、基地局は、以下で説明する機能を実行するように基地局の機能要素を制御するためのコードの１つまたは複数のセットを実行し得る。追加または代替として、基地局は、専用ハードウェアを使用して、以下で説明する機能のうちの１つまたは複数を実行し得る。
【０１０９】
[0124]ブロック１５０５において、方法１５００は、基地局がＤ２Ｄ近接サービス通信のためのＡＣＢパラメータを決定することを含み得る。ＡＣＢパラメータは、通常優先度ＵＥおよび高優先度ＵＥのための発見動作または通信動作に関連し得る。ブロック１５１０において、基地局は、メッセージを少なくとも１つのモバイルデバイス（ＵＥ）に送る。メッセージは、Ｄ２Ｄ近接サービス通信のためのＡＣＢパラメータを示す情報を含み得る。メッセージは、ＳＩＢ２メッセージ中で送られ得る。
【０１１０】
[0125]ブロック１５０５および１５１０における（１つまたは複数の）動作は、図５、図６、または図７を参照しながら説明した禁止管理モジュール５１０／７１０を使用して実行され得る。
【０１１１】
[0126]したがって、方法１５００はワイヤレス通信を提供し得る。方法１５００は一実装形態にすぎないこと、および方法１５００の動作は、他の実装形態が可能であるように、並べ替えられるかまたは場合によっては変更され得ることに留意されたい。
【０１１２】
[0127]図１６は、本開示の様々な態様による、ワイヤレス通信のための方法１６００の一例を示すフローチャートである。明確にするために、方法１６００について、図１、図８、図９、図１０、図１１、図１２、または図１３を参照しながら説明したＵＥのうちの１つまたは複数の態様、および／あるいは図２、図３、または図４を参照しながら説明したデバイスのうちの１つまたは複数の態様を参照しながら以下で説明する。いくつかの例では、ＵＥは、以下で説明する機能を実行するようにＵＥの機能要素を制御するためのコードの１つまたは複数のセットを実行し得る。追加または代替として、ＵＥは、専用ハードウェアを使用して、以下で説明する機能のうちの１つまたは複数を実行し得る。
【０１１３】
[0128]ブロック１６０５において、方法１６００は、ＵＥがサービングセルからメッセージを受信することを含み得る。メッセージは、Ｄ２Ｄ近接サービス通信のためのＡＣＢパラメータを示す情報を含み得る。ＡＣＢパラメータは、通常優先度ＵＥおよび高優先度ＵＥのための発見動作または通信動作に関連し得る。ブロック１６１０において、ＵＥは、ＡＣＢパラメータに少なくとも部分的に基づいて、Ｄ２Ｄ近接サービス通信のためのリソース利用可能性を識別する。たとえば、ＵＥは、割り当てられたＡＣＢパラメータと、禁止動作がアクティブであることと、Ｄ２Ｄ近接サービス通信のために必要とされるリソースのタイプと、禁止動作を保証した禁止条件とに基づいて基づいて、リソース利用可能性を識別し得る。ブロック１６１５において、ＵＥは、識別されたリソースに基づいてリソースが利用可能であるかどうかを決定し得る。たとえば、禁止がアクティブであり、割り当てられたＡＣＢパラメータが、ＵＥが関係するリソースにアクセスすることを許さない場合、ＵＥは、リソースが利用可能でないと決定し得、ブロック１６２０において、ＵＥは、Ｄ２Ｄ近接サービス通信が、妨げられたかまたは場合によっては禁止されたと決定し得る。
【０１１４】
[0129]ただし、ＵＥが、リソースが利用可能であると決定した場合、ブロック１６２５において、ＵＥは、Ｄ２Ｄ近接サービス通信に関連する確立要因を決定する。たとえば、確立要因は、割り当てられたＡＣＢパラメータに対応し、通常優先度ＵＥおよび高優先度ＵＥのための発見および／または通信リソースに関連し得る。ブロック１６３０において、ＵＥは、ＲＲＣ接続要求または確立メッセージをサービングセルに送る。ＲＲＣ接続要求メッセージは、利用可能なリソースを要求するための確立要因を含み得る。
【０１１５】
[0130]ブロック１６０５、１６１０、１６１５、１６２０、１６２５、および１６３０における（１つまたは複数の）動作は、図２、図３、または図４を参照しながら説明したＡＣＢモジュール２０５／４１０を使用して実行され得る。
【０１１６】
[0131]したがって、方法１６００はワイヤレス通信を提供し得る。方法１６００は一実装形態にすぎないこと、および方法１６００の動作は、他の実装形態が可能であるように、並べ替えられるかまたは場合によっては変更され得ることに留意されたい。
【０１１７】
[0132]いくつかの例では、方法１４００、１５００、および／または１６００のうちの２つ以上からの態様が、組み合わせられ得る。方法１４００、１５００、および１６００は例示的な実装形態にすぎないこと、ならびに方法１４００〜１６００の動作は、他の実装形態が可能であるように、並べ替えられるかまたは場合によっては変更され得ることに留意されたい。
【０１１８】
[0133]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに、無認可および／または共有帯域幅上でのセルラー（たとえば、ＬＴＥ）通信を含む、他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１１９】
[0134]添付の図面に関して上記に記載された詳細な説明は、例について説明しており、実装され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０１２０】
[0135]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２１】
[0136]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１２２】
[0137]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１２３】
[0138]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１２４】
[0139]本開示についての以上の説明は、当業者が本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］
サービングセルからメッセージを受信することと、前記メッセージが、デバイスツーデバイス（Ｄ２Ｄ）近接サービス通信のためのアクセスクラス禁止（ＡＣＢ）パラメータを示す情報を備える、
前記ＡＣＢパラメータに少なくとも部分的に基づいて、Ｄ２Ｄ近接サービス通信のためのリソース利用可能性を識別することと
を備える、ワイヤレス通信のための方法。
［Ｃ２］
前記ＡＣＢパラメータが、非高優先度モバイルデバイスまたは高優先度モバイルデバイスに関連し、前記リソースが、Ｄ２Ｄ近接サービス通信のための発見動作または通信動作に関連する、Ｃ１に記載の方法。
［Ｃ３］
無線リソース制御（ＲＲＣ）アイドルモードまたはＲＲＣ接続モードにある間に前記サービングセルから受信された前記メッセージを処理することをさらに備える、Ｃ１に記載の方法。
［Ｃ４］
前記メッセージが、前記ＡＣＢパラメータを伝達するシステム情報ブロック（ＳＩＢ）を備える、Ｃ１に記載の方法。
［Ｃ５］
前記ＳＩＢがタイプ２ＳＩＢである、Ｃ４に記載の方法。
［Ｃ６］
前記Ｄ２Ｄ近接サービス通信に関連する確立要因を決定することと、
前記利用可能なリソースを要求するために前記確立要因を備える無線リソース制御（ＲＲＣ）接続確立メッセージを前記サービングセルに送ることと
をさらに備える、Ｃ１に記載の方法。
［Ｃ７］
前記確立要因が、非高優先度モバイルデバイスまたは高優先度デバイスに関連し、前記要求されたリソースが、Ｄ２Ｄ近接サービス通信のための発見動作または通信動作に関連する、Ｃ６に記載の方法。
［Ｃ８］
ＡＣＢがＤ２Ｄ近接サービス通信のためにアクティブであると決定することと、
前記サービングセルからの後続のメッセージを処理することを控えることと、前記後続のメッセージが、Ｄ２Ｄ近接サービス通信のためのリソースのプールに関連する情報を備える、をさらに備える、Ｃ１に記載の方法。
［Ｃ９］
リソースの前記プールが、Ｄ２Ｄ近接サービス通信のための発見動作に関連する、Ｃ８に記載の方法。
［Ｃ１０］
無線リソース制御（ＲＲＣ）アイドルモードまたはＲＲＣ接続モードにある間に前記サービングセルから受信された前記メッセージを処理することをさらに備える、Ｃ８に記載の方法。
［Ｃ１１］
前記後続のメッセージがタイプ１７システム情報ブロック（ＳＩＢ）を備える、Ｃ８に記載の方法。
［Ｃ１２］
モバイルデバイス上の無線リソース制御（ＲＲＣ）プロトコルによって、ＡＣＢがＤ２Ｄ近接サービス通信のためにアクティブであると決定することと、
Ｄ２Ｄ近接サービス通信が禁止されたという指示を前記モバイルデバイス上のプロトコルに通信することとをさらに備える、Ｃ１に記載の方法。
［Ｃ１３］
前記メッセージは、ＡＣＢがアクティブであることを示す情報を備えるシステム情報ブロック（ＳＩＢ）を備える、Ｃ１２に記載の方法。
［Ｃ１４］
前記ＳＩＢがタイプ２ＳＩＢである、Ｃ１３に記載の方法。
［Ｃ１５］
前記プロトコルが近接サービスプロトコルであり、Ｄ２Ｄ近接サービス通信が禁止されたという前記指示を通信することは、
前記近接サービスプロトコルからサービス要求メッセージを受信することと、
Ｄ２Ｄ近接サービス通信のための発見動作が禁止されたという指示を前記近接サービスプロトコルに通信することとを備える、Ｃ１２に記載の方法。
［Ｃ１６］
前記モバイルデバイスが、ＲＲＣアイドルモードまたはＲＲＣ接続モードにある、Ｃ１５に記載の方法。
［Ｃ１７］
前記プロトコルが非アクセス層（ＮＡＳ）プロトコルであり、Ｄ２Ｄ近接サービス通信が禁止されたという前記指示を通信することは、
前記モバイルデバイス上の前記ＮＡＳプロトコルからサービス要求メッセージを受信することと、
Ｄ２Ｄ近接サービス通信のための通信動作が禁止されたことを示すサービス要求拒否メッセージを前記ＮＡＳプロトコルに通信することと
を備える、Ｃ１２に記載の方法。
［Ｃ１８］
前記モバイルデバイスがＲＲＣアイドルモードにある、Ｃ１７に記載の方法。
［Ｃ１９］
モバイルデバイス上の無線リソース制御（ＲＲＣ）プロトコルによって、ＡＣＢがＤ２Ｄ近接サービス通信のためにアクティブであると決定することをさらに備える、Ｃ１に記載の方法。
［Ｃ２０］
前記リソースが、Ｄ２Ｄ近接サービス通信のための発見動作リソースであり、
前記発見動作のための無線リソースに関連する情報を削除することをさらに備え、
ここにおいて、前記モバイルデバイスが、ＲＲＣアイドルモードまたはＲＲＣ接続モードにある、Ｃ１９に記載の方法。
［Ｃ２１］
前記リソースが、Ｄ２Ｄ近接サービス通信のための通信動作リソースであり、
Ｄ２Ｄ近接サービス通信のためのバッファステータス報告を送ることを控えることをさらに備え、
ここにおいて、前記モバイルデバイスがＲＲＣ接続モードにある、Ｃ１９に記載の方法。
［Ｃ２２］
前記リソースが、Ｄ２Ｄ近接サービス通信のための通信動作リソースであり、
前記通信動作リソースのための無線チャネルパラメータに関連する情報を削除することをさらに備え、
ここにおいて、前記モバイルデバイスが、ＲＲＣアイドルモードまたはＲＲＣ接続モードにある、Ｃ１９に記載の方法。
［Ｃ２３］
プロセッサと、
前記プロセッサと電子通信しているメモリと、
前記メモリに記憶されている命令と
を備え、前記命令は、
サービングセルからメッセージを受信することと、前記メッセージが、デバイスツーデバイス（Ｄ２Ｄ）近接サービス通信のためのアクセスクラス禁止（ＡＣＢ）パラメータを示す情報を備える、
前記ＡＣＢパラメータに少なくとも部分的に基づいて、Ｄ２Ｄ近接サービス通信のためのリソース利用可能性を識別することと
を行うために前記プロセッサによって実行可能である、ワイヤレス通信のための装置。
［Ｃ２４］
サービングセルからメッセージを受信するための手段と、前記メッセージが、デバイスツーデバイス（Ｄ２Ｄ）近接サービス通信のためのアクセスクラス禁止（ＡＣＢ）パラメータを示す情報を備える、
前記ＡＣＢパラメータに少なくとも部分的に基づいて、Ｄ２Ｄ近接サービス通信のためのリソース利用可能性を識別するための手段と
を備える、ワイヤレス通信のための装置。
［Ｃ２５］
デバイスツーデバイス（Ｄ２Ｄ）近接サービス通信のためのアクセスクラス禁止（ＡＣＢ）パラメータを決定することと、
メッセージを少なくとも１つのモバイルデバイスに送ることと、前記メッセージが、Ｄ２Ｄ近接サービス通信のための前記ＡＣＢパラメータを示す情報を備える、を備える、ワイヤレス通信の方法。
［Ｃ２６］
前記ＡＣＢパラメータが、非高優先度モバイルデバイスのための発見動作、非高優先度モバイルデバイスのための通信動作、高優先度モバイルデバイスのための発見動作、および高優先度モバイルデバイスのための通信動作のうちの１つまたは複数のためのＡＣＢパラメータを備える、Ｃ２５に記載の方法。
［Ｃ２７］
Ｄ２Ｄ近接サービス通信のための利用可能なリソースを要求するメッセージを少なくとも１つのモバイルデバイスから受信すること、ここにおいて、前記メッセージが、無線リソース制御（ＲＲＣ）接続要求メッセージを備える、をさらに備える、Ｃ２５に記載の方法。
［Ｃ２８］
前記ＲＲＣ接続要求メッセージが、非高優先度モバイルデバイスのための発見動作、非高優先度モバイルデバイスのための通信動作、高優先度モバイルデバイスのための発見動作および高優先度モバイルデバイスのための通信動作のうちの１つまたは複数に基づく接続確立節を備える、Ｃ２７に記載の方法。
［Ｃ２９］
ＡＣＢがアクティブであると決定することと、
Ｄ２Ｄ近接サービス通信に関連するリソースを削除することと、ここにおいて、前記リソースを削除することが、前記リソースの指示を後続のメッセージ中で１つまたは複数モバイルデバイスに送ることを控えることを備え、ここにおいて、前記後続のメッセージがタイプ１７システム情報ブロック（ＳＩＢ）を備える、をさらに備える、Ｃ２５に記載の方法。
［Ｃ３０］
前記メッセージが、前記ＡＣＢパラメータを伝達するシステム情報ブロック（ＳＩＢ）を備え、ここにおいて、前記ＳＩＢがタイプ２ＳＩＢである、Ｃ２５に記載の方法。
【図１】
0006297744.tif 000002
【図２】
0006297744.tif 000003
【図３】
0006297744.tif 000004
【図４】
0006297744.tif 000005
【図５】
0006297744.tif 000006
【図６】
0006297744.tif 000007
【図７】
0006297744.tif 000008
【図８】
0006297744.tif 000009
【図９】
0006297744.tif 000010
【図１０】
0006297744.tif 000011
【図１１】
0006297744.tif 000012
【図１２】
0006297744.tif 000013
【図１３】
0006297744.tif 000014
【図１４】
0006297744.tif 000015
【図１５】
0006297744.tif 000016
【図１６】
0006297744.tif 000017